(57)【特許請求の範囲】
【請求項１】
ワイヤレスローカルエリアネットワーク(WLAN)のアクセスポイント(AP)に関する情報を収集するための方法であって、
ユーザ機器(UE)によって、ドライブテストの最小化(MDT)測定構成プロセスにおいて基地局からのWLAN AP要求情報を受信するステップであって、前記WLAN AP要求情報は、前記UEに、WLAN AP情報を報告するよう要求するために使用される、ステップと、
前記UEによって、前記WLAN AP要求情報に従ってWLANサーチを実行し、サーチされたWLAN APのうちの特定のWLAN APに関するWLAN AP情報のみを記録するステップであって、前記特定のWLAN APは、特定のデプロイヤを有するWLAN APまたは特定のサービスセット識別子(SSID)を有するWLAN APを含む、ステップと、
前記UEによって、前記記録されたWLAN AP情報を前記基地局に送信するステップとを含む方法。
【請求項２】
前記WLAN AP情報を記録するときに、前記UEによって、前記UEのステータス情報を記録するステップと、
前記UEによって、前記UEの前記ステータス情報を前記基地局に送信するステップとをさらに含む請求項1に記載の方法。
【請求項３】
前記UEによって記録された前記UEの前記ステータス情報は、
前記UEがWLAN AP信号を受信するための受信信号電力、前記UEの地理的位置情報、または前記UEが前記WLAN AP情報を収集するための収集時間のうちの1つまたは複数の種類の情報を含む請求項2に記載の方法。
【請求項４】
UEによって、基地局からのWLAN AP要求情報を受信する前記ステップは、
前記UEによって、基地局からの記録型測定構成メッセージを受信するステップであって、前記記録型測定構成メッセージは、前記WLAN AP要求情報を含む、ステップを含む請求項1から3のいずれか一項に記載の方法。
【請求項５】
UEによって、基地局からのWLAN AP要求情報を受信する前記ステップは、
前記UEによって、基地局からの無線リソース制御(RRC)接続再構成メッセージを受信するステップであって、前記RRC接続再構成メッセージは、前記WLAN AP要求情報を含む、ステップを含む請求項1から3のいずれか一項に記載の方法。
【請求項６】
前記UEによって記録される前記WLAN AP情報は、
媒体アクセス制御(MAC)アドレス、サービスセット識別子(SSID)、暗号化タイプ、チャネル番号、使用されるプロトコル、またはデプロイヤのうちの1つまたは複数の種類の情報を含む請求項1から5のいずれか一項に記載の方法。
【請求項７】
ユーザ機器(UE)であって、
ドライブテストの最小化(MDT)測定構成プロセスにおいて基地局からのWLAN AP要求情報を受信するように構成された受信ユニットであって、前記WLAN AP要求情報は、前記UEに、WLAN AP情報を報告するよう要求するために使用される、受信ユニットと、
前記UEによって、前記WLAN AP要求情報に従ってWLANサーチを実行し、サーチされたWLAN APのうちの特定のWLAN APに関するWLAN AP情報のみを記録するように構成された収集ユニットであって、前記特定のWLAN APは、特定のデプロイヤを有するWLAN APまたは特定のサービスセット識別子(SSID)を有するWLAN APを含む、収集ユニットと、
前記記録されたWLAN AP情報を前記基地局に送信するように構成された送信ユニットとを備えるユーザ機器(UE)。
【請求項８】
前記収集ユニットは、前記WLAN AP情報を収集するときに前記UEのステータス情報を記録し、前記UEの前記ステータス情報を前記基地局に送信するようにさらに構成される請求項7に記載のUE。
【請求項９】
前記UEによって記録された前記UEの前記ステータス情報は、
前記UEがWLAN AP信号を受信するための受信信号電力、前記UEの地理的位置情報、または前記UEが前記WLAN AP情報を収集するための収集時間のうちの1つまたは複数の種類の情報を含む請求項8に記載のUE。
【請求項１０】
前記受信ユニットが基地局からのWLAN AP要求情報を受信するように構成されることは、
前記受信ユニットが基地局からの記録型測定構成メッセージを受信するように構成され、前記記録型測定構成メッセージは、前記WLAN AP要求情報を含む、ことを含む請求項7から9のいずれか一項に記載のUE。
【請求項１１】
前記受信ユニットが基地局からのWLAN AP要求情報を受信するように構成されることは、
前記受信ユニットが基地局からの無線リソース制御(RRC)接続再構成メッセージを受信するように構成され、前記RRC接続再構成メッセージは、前記WLAN AP要求情報を含む、ことを含む請求項7から9のいずれか一項に記載のUE。
【請求項１２】
前記UEによって収集される前記WLAN AP情報は、
媒体アクセス制御(MAC)アドレス、サービスセット識別子(SSID)、暗号化タイプ、チャネル番号、使用されるプロトコル、またはデプロイヤのうちの1つまたは複数の種類の情報を含む請求項7から11のいずれか一項に記載のUE。
【請求項１３】
ワイヤレスローカルエリアネットワーク(WLAN)のアクセスポイント(AP)に関する情報を収集するための方法であって、
基地局によって、ドライブテストの最小化MDT測定構成プロセスにおいてネットワークデバイスからのWLAN AP要求情報を受信するステップであって、前記WLAN AP要求情報は、ユーザ機器(UE)に、特定のWLAN APに関するWLAN AP情報を報告するよう要求するために使用され、前記特定のWLAN APは、特定のデプロイヤを有するWLAN APまたは特定のサービスセット識別子(SSID)を有するWLAN APを含む、ステップと、
前記基地局によって、前記WLAN AP要求情報を前記UEに送信するステップと、
前記基地局によって、前記UEからの前記特定のWLAN APに関するWLAN AP情報を受信するステップと、
前記基地局によって、前記WLAN AP情報を前記ネットワークデバイスに送信するステップとを含む方法。
【請求項１４】
前記基地局によって、MDT測定構成プロセスにおいてネットワークデバイスからのWLAN AP要求情報を受信する前記ステップは、前記基地局によって、前記ネットワークデバイスからのMDT測定有効化メッセージを受信するステップであって、前記MDT測定有効化メッセージは、前記WLAN AP要求情報を含む、ステップを含む請求項13に記載の方法。
【請求項１５】
前記MDT測定有効化メッセージは、MDT測定指示情報を含み、前記MDT測定指示情報は、前記基地局に、記録型測定構成メッセージまたは無線リソース制御RRC接続再構成メッセージをUEに送信することを命令するために使用され、前記記録型測定構成メッセージまたは前記RRC接続再構成メッセージは、前記WLAN AP要求情報を含み、
前記基地局によって、前記WLAN AP要求情報を前記UEに送信する前記ステップは、
前記基地局によって、前記MDT測定指示情報に従って前記記録型測定構成メッセージを前記UEに送信するステップ、または、前記基地局によって、前記MDT測定指示情報に従って前記RRC接続再構成メッセージを前記UEに送信するステップ、を含む請求項14に記載の方法。
【請求項１６】
前記基地局によって、前記UEからの前記特定のWLAN APに関する前記WLAN AP情報を受信する前記ステップは、
前記基地局によって、前記UEからのWLAN AP情報記録を受信するステップであって、前記WLAN AP情報記録は、前記UEによって収集される前記WLAN AP情報と、前記WLAN AP情報を収集するときに前記UEによって記録された前記UEのステータス情報とを含む、ステップを含み、
前記基地局によって、前記WLAN AP情報を前記ネットワークデバイスに送信するステップは、
前記基地局によって、前記WLAN AP情報記録を前記ネットワークデバイスに送信するステップを含む、請求項13から15のいずれか一項に記載の方法。
【請求項１７】
前記UEによって記録された前記UEの前記ステータス情報は、
前記UEがWLAN AP信号を受信するための受信信号電力、前記UEの地理的位置情報、または前記UEが前記WLAN AP情報を収集するための収集時間のうちの1つまたは複数の種類の情報を含む、請求項16に記載の方法。
【請求項１８】
前記特定のWLAN APに関する前記WLAN AP情報は、
媒体アクセス制御MACアドレス、サービスセット識別子SSID、暗号化タイプ、チャネル番号、使用されるプロトコル、またはデプロイヤのうちの1つまたは複数の種類の情報を含む請求項13から17のいずれか一項に記載の方法。
【請求項１９】
請求項13から18のいずれか一項に記載の方法を実行するように構成された基地局。
【請求項２０】
通信システムであって、
請求項7から12のいずれか一項に記載のユーザ機器(UE)と、
請求項19に記載の基地局と
を含む通信システム。
【発明の詳細な説明】
【技術分野】
【０００１】
本発明は、ワイヤレス通信技術の分野に関するものであり、具体的には、ワイヤレスローカルエリアネットワークのアクセスポイントに関する情報を収集するための方法、装置、およびシステムに関するものである。
【背景技術】
【０００２】
ワイヤレスローカルエリアネットワーク(wireless local area network、WLAN)は、ワイヤレス方式で確立されるネットワークシステムである。WLAN上のアクセスポイント(access point、AP)をサーチし、接続することによって、WLANへのアクセスをサポートするユーザ機器(user equipment、UE)は、ブロードバンドインターネットサービスを簡便に利用することができる。現在、オフィスビル、ビジネスセンター、および学校などの、人口の多いエリアにおいて、一部の企業または学校内にユーザがアクセスできるように比較的多数のWLAN APがデプロイされている。
【０００３】
近年、モバイルデータのトラフィックが急激に増大すると共に、モバイル通信ネットワークの帯域幅と速度の両方が直面する問題は大きくなるばかりである。既存のモバイル通信ネットワークのデータトラフィック負荷を軽減するために、通信事業会社も、多数のWLAN APを徐々にデプロイし始めている。ワイヤレスローカルエリアネットワークおよびモバイル通信ネットワークのサービスエリアを最適化する方法、およびワイヤレスローカルエリアネットワークとモバイル通信ネットワークとの間にコンバージェンスおよびインターワーキングを実装する方法が、技術研究の最新の話題となりつつあり、また商業的可能性も高い。デプロイされているWLAN APに関する情報の簡便で迅速な収集は、WLANサービスエリアの最適化に対して重要な意味を有している。
【０００４】
従来技術では、アプリケーション開発者は、WLAN AP情報を収集するためのアプリケーションをすでに開発している。スマートフォンがアプリケーションを実行する場合、付近のWLAN APに関する情報が収集され、収集されたWLAN AP情報は、他のユーザが共有し、使用できるようにアプリケーション開発者のサーバにアップロードされる。しかし、この方法では、ユーザの電話機に特定のアプリケーションをインストールすることが必要であり、収集されたWLAN AP情報は、通信事業会社によって提供されるネットワークに対して透過的であり、不可視であり、通信事業会社では使用できない。現在、モバイル通信ネットワークのアーキテクチャに基づくWLAN AP情報を収集するための技術的解決策は、まだ見つかっていない。
【発明の概要】
【課題を解決するための手段】
【０００５】
本発明の実施形態は、ワイヤレスローカルエリアネットワークWLANのアクセスポイントAPに関する情報を収集するための方法、装置、およびシステムを実現するものであり、これは、モバイル通信ネットワークのアーキテクチャに基づきWLAN APに関する情報を簡便に収集することができる。
【０００６】
本発明の実施形態は、以下の技術的解決策を使用することによって特に実装され得る。
【０００７】
第1の態様では、ワイヤレスローカルエリアネットワークのアクセスポイントに関する情報を収集するための方法が提供される。この方法は、
ネットワークデバイスによって、ドライブテストの最小化MDT測定構成プロセスにおいて基地局にWLAN AP要求情報を送信するステップであって、WLAN AP要求情報は、ユーザ機器UEに、WLAN AP情報を報告するよう要求するために使用される、ステップと、
ネットワークデバイスによって、基地局から送信されたWLAN AP情報を受信するステップであって、WLAN AP情報は、UEから基地局によって受信され、WLAN AP情報は、基地局から送信されたWLAN AP要求情報が受信された後、WLAN AP要求情報に従ってUEによって収集される、ステップとを含む。
【０００８】
本発明のこの実施形態で提供される方法において、ワイヤレスローカルエリアネットワークのアクセスポイントに関する情報を収集するために、UEは、モバイル通信ネットワークのアーキテクチャに基づき、MDT測定構成プロセスを使用することによって、WLAN AP情報を収集し、報告するものとしてよい。このようにして、WLAN AP情報は、簡便に、正確に、確実に収集され得る。
【０００９】
第1の態様に関して、第1の態様の第1の可能な実装方法において、
ネットワークデバイスによって、MDT測定構成プロセスにおいて基地局にWLAN AP要求情報を送信するステップは、
ネットワークデバイスによって、MDT測定有効化メッセージを基地局に送信するステップであって、MDT測定有効化メッセージは、WLAN AP要求情報を含む、ステップを含む。
【００１０】
第1の態様の第1の可能な実装方法に関して、第1の態様の第2の可能な実装方法において、MDT測定有効化メッセージは、MDT測定指示情報を含み、MDT測定指示情報は、基地局に、記録型測定構成メッセージまたは無線リソース制御RRC接続再構成メッセージをUEに送信することを命令するために使用され、記録型測定構成メッセージまたはRRC接続再構成メッセージは、WLAN AP要求情報を含む。
【００１１】
第1の態様または第1の態様の第1から第2までの可能な実装方法のうちのいずれか1つに関して、第1の態様の第3の可能な実装方法において、ネットワークデバイスによって、基地局から送信されたWLAN AP情報を受信するステップは、
ネットワークデバイスによって、基地局から送信されたWLAN AP情報記録を受信するステップであって、WLAN AP情報記録は、UEによって収集されたWLAN AP情報、およびWLAN AP情報を収集するときにUEによって記録されたUEのステータス情報を含む、ステップを含む。
【００１２】
第1の態様の第3の可能な実装方法に関して、第1の態様の第4の可能な実装方法において、ネットワークデバイスによって、基地局から送信されたWLAN AP情報記録を受信するステップは、
基地局が、記録型測定構成メッセージをUEに送信する場合に、ネットワークデバイスによって、基地局から送信されたMDTログを受信するステップであって、MDTログは、WLAN AP情報記録を含む、ステップ、または
基地局が、RRC接続再構成メッセージをUEに送信する場合に、ネットワークデバイスによって、基地局から送信された測定報告を受信するステップであって、測定報告は、WLAN AP情報記録を含む、ステップを含む。
【００１３】
第1の態様の第3から第4までの可能な実装方法のうちのいずれか1つに関して、第1の態様の第5の可能な実装方法において、WLAN AP情報を収集するときにUEによって記録されるUEのステータス情報は、
UEがWLAN AP信号を受信するための受信信号電力、UEの地理的位置情報、またはUEがWLAN AP情報を収集するための収集時間のうちの1つまたは複数の種類の情報を含む。
【００１４】
第1の態様または第1の態様の第1から第5までの可能な実装方法のうちのいずれか1つに関して、第1の態様の第6の可能な実装方法において、UEによって収集されたWLAN AP情報は、
媒体アクセス制御MACアドレス、サービスセット識別子SSID、暗号化タイプ、チャネル番号、使用されるプロトコル、またはデプロイヤ(deployer)のうちの1つまたは複数の種類の情報を含む。
【００１５】
第1の態様の第6の可能な実装方法に関して、第1の態様の第7の可能な実装方法において、WLAN AP情報記録が、WLAN APのMACアドレスを含んでいる場合、この方法は、
ネットワークデバイスによって、WLAN AP情報記録データベースを、WLAN AP情報記録に従って、WLAN AP情報記録に含まれるWLAN APのMACアドレスをサーチ識別子として使用することによって、確立するか、または更新するステップをさらに含む。
【００１６】
第1の態様の第7の可能な実装方法に関して、第1の態様の第8の可能な実装方法において、ネットワークデバイスがWLAN AP情報記録データベースを更新するときに、またWLAN AP情報記録が、UEの地理的位置情報を含まない場合に、この方法は、
ネットワークデバイスによって、確立されているWLAN AP情報記録データベースに従ってUEの地理的位置情報を決定するステップであって、確立されているWLAN AP情報記録データベースは、少なくとも1つのWLAN AP情報記録を含む、ステップをさらに含む。
【００１７】
第1の態様の第8の可能な実装方法に関して、第1の態様の第9の可能な実装方法において、UEの地理的位置情報を含まないWLAN AP情報記録は、第1のWLAN AP情報記録として記録され、UEは、第1のUEであり、ネットワークデバイスによって、確立されているWLAN AP情報記録データベースに従ってUEの地理的位置情報を決定するステップは、
ネットワークデバイスによって、第2のWLAN AP情報記録に対する確立されているWLAN AP情報記録データベースを、第1のWLAN AP情報記録に含まれるWLAN APのMACアドレスをサーチ識別子として使用することによって、サーチするステップであって、第2のWLAN AP情報記録は、MACアドレスを含み、また第2のUEの地理的位置情報を含む、ステップと、
第2のWLAN AP情報記録が、確立されているWLAN AP情報記録データベース内に存在している場合に、ネットワークデバイスによって、第2のWLAN AP情報記録に含まれる第2のUEの地理的位置情報を第1のUEの地理的位置情報として決定するステップとを含む。
【００１８】
第1の態様の第9の可能な実装方法に関して、第1の態様の第10の可能な実装方法において、ネットワークデバイスが、第1のWLAN AP情報記録を受信するときにMDT測定結果も受信する場合、またMDT測定結果が、MDT測定を通じて第1のUEによって取得される場合に、この方法は、
ネットワークデバイスによって、MDT測定結果を第1のUEの地理的位置情報に関連付けるステップであって、第1のUEの地理的位置情報は、確立されているWLAN AP情報記録データベースに従ってネットワークデバイスによって決定される、ステップをさらに含む。
【００１９】
第2の態様では、ワイヤレスローカルエリアネットワークのアクセスポイントに関する情報を収集するための方法が提供される。この方法は、
ユーザ機器UEによって、基地局から送信されたWLAN AP要求情報を受信するステップであって、WLAN AP要求情報は、ドライブテストの最小化MDT測定構成プロセスにおいてネットワークデバイスから基地局に送信され、WLAN AP要求情報は、UEに、WLAN AP情報を報告するよう要求するために使用される、ステップと、
UEによって、WLAN AP要求情報に従ってWLAN AP情報を収集するステップと、
UEによって、WLAN AP情報を基地局に送信し、これにより、基地局がWLAN AP情報をネットワークデバイスに送信する、ステップとを含む。
【００２０】
本発明のこの実施形態において提供されるワイヤレスローカルエリアネットワークのアクセスポイントに関する情報を収集するための方法において、UEは、モバイル通信ネットワークのアーキテクチャに基づき、MDT測定構成プロセスを使用することによって、WLAN AP情報を収集し、報告するものとしてよい。このようにして、WLAN AP情報は、簡便に、正確に、確実に収集され得る。
【００２１】
第2の態様に関して、第2の態様の第1の可能な実装方法において、UEによって、WLAN AP要求情報に従ってWLAN AP情報を収集するステップは、
UEによって、WLAN AP要求情報に従ってWLANサーチを実行し、サーチされたWLAN APのうちの特定のWLAN APに関する情報を記録するステップであって、特定のWLAN APは、特定のデプロイヤを有するWLAN APまたは特定のサービスセット識別子SSIDを有するWLAN APを含む、ステップを含む。
【００２２】
第2の態様、または第2の態様の第1の可能な実装方法に関して、第2の態様の第2の可能な実装方法において、UEによって、WLAN AP要求情報に従ってWLANサーチを実行し、WLAN AP情報を収集するために、記録するステップは、
UEによって、WLAN AP情報を収集するときにUEのステータス情報をさらに記録し、WLAN AP情報記録を取得するステップであって、WLAN AP情報記録は、UEによって収集されたWLAN AP情報、およびWLAN AP情報を収集するときにUEによって記録されたUEのステータス情報を含む、ステップをさらに含み、
UEによって、WLAN AP情報を基地局に送信するステップは、UEによって、WLAN AP情報記録を基地局に送信するステップを含む。
【００２３】
第2の態様の第2の可能な実装方法に関して、第2の態様の第3の可能な実装方法において、UEによって、基地局から送信されたWLAN AP要求情報を受信するステップは、
UEによって、基地局から送信された記録型測定構成メッセージを受信するステップであって、記録型測定構成メッセージは、WLAN AP要求情報を含む、ステップを含み、
UEによって、WLAN AP情報記録を基地局に送信するステップは、
UEによって、MDTログを基地局に送信するステップであって、MDTログは、WLAN AP情報記録を含む、ステップを含む。
【００２４】
第2の態様の第2の可能な実装方法に関して、第2の態様の第4の可能な実装方法において、UEによって、基地局から送信されたWLAN AP要求情報を受信するステップは、
UEによって、基地局から送信された無線リソース制御RRC接続再構成メッセージを受信するステップであって、RRC接続再構成メッセージは、WLAN AP要求情報を含む、ステップを含み、
UEによって、WLAN AP情報記録を基地局に送信するステップは、
UEによって、測定報告を基地局に送信するステップであって、測定報告は、WLAN AP情報記録を含む、ステップを含む。
【００２５】
第2の態様の第2から第4までの可能な実装方法のうちのいずれか1つに関して、第2の態様の第5の可能な実装方法において、WLAN AP情報を収集するときにUEによって記録されるUEのステータス情報は、
UEがWLAN AP信号を受信するための受信信号電力、UEの地理的位置情報、またはUEがWLAN AP情報を収集するための収集時間のうちの1つまたは複数の種類の情報を含む。
【００２６】
第2の態様または第2の態様の第1から第5までの可能な実装方法のうちのいずれか1つに関して、第2の態様の第6の可能な実装方法において、UEによって収集されたWLAN AP情報は、
媒体アクセス制御MACアドレス、サービスセット識別子SSID、暗号化タイプ、チャネル番号、使用されるプロトコル、またはデプロイヤのうちの1つまたは複数の種類の情報を含む。
【００２７】
第3の態様において、ワイヤレスローカルエリアネットワークのアクセスポイントに関する情報を収集するための方法が提供される。この方法は、
基地局によって、ドライブテストの最小化MDT測定構成プロセスにおいてネットワークデバイスから送信されたWLAN AP要求情報を受信するステップであって、WLAN AP要求情報は、ユーザ機器UEに、WLAN AP情報を報告するよう要求するために使用される、ステップと、
基地局によって、WLAN AP要求情報をUEに送信するステップと、
基地局によって、UEから送信されたWLAN AP情報を受信するステップであって、WLAN AP情報はWLAN AP要求情報に従ってUEによって収集される、ステップと、
基地局によって、WLAN AP情報をネットワークデバイスに送信するステップとを含む。
【００２８】
本発明のこの実施形態において提供されるワイヤレスローカルエリアネットワークのアクセスポイントに関する情報を収集するための方法において、UEは、モバイル通信ネットワークのアーキテクチャに基づき、MDT測定構成プロセスを使用することによって、WLAN AP情報を収集し、報告するものとしてよい。このようにして、WLAN APは、簡便に、正確に、確実に収集され得る。
【００２９】
第3の態様に関して、第3の態様の第1の可能な実装方法において、基地局によって、MDT測定構成プロセスにおいてネットワークデバイスから送信されたWLAN AP要求情報を受信するステップは、
基地局によって、ネットワークデバイスから送信されたMDT測定有効化メッセージを受信するステップであって、MDT測定有効化メッセージは、WLAN AP要求情報を含む、ステップを含む。
【００３０】
第3の態様の第1の可能な実装方法に関して、第3の態様の第2の可能な実装方法において、MDT測定有効化メッセージは、MDT測定指示情報を含み、MDT測定指示情報は、基地局に、記録型測定構成メッセージまたは無線リソース制御RRC接続再構成メッセージをUEに送信することを命令するために使用され、記録型測定構成メッセージまたはRRC接続再構成メッセージは、WLAN AP要求情報を含み、
基地局によって、WLAN AP要求情報をUEに送信するステップは、
基地局によって、MDT測定指示情報に従って、記録型測定構成メッセージをUEに送信するステップ、または
基地局によって、MDT測定指示情報に従って、RRC接続再構成メッセージをUEに送信するステップを含む。
【００３１】
第3の態様または第3の態様の第1から第2までの可能な実装方法のうちのいずれか1つに関して、第3の態様の第3の可能な実装方法において、基地局によって、UEから送信されたWLAN AP情報を受信するステップは、
基地局によって、UEから送信されたWLAN AP情報記録を受信するステップであって、WLAN AP情報記録は、UEによって収集されたWLAN AP情報、およびWLAN AP情報を収集するときにUEによって記録されたUEのステータス情報を含む、ステップを含み、
基地局によって、WLAN AP情報をネットワークデバイスに送信するステップは、
基地局によって、WLAN AP情報記録をネットワークデバイスに送信するステップを含む。
【００３２】
第3の態様の第3の可能な実装方法に関して、第3の態様の第4の可能な実装方法において、基地局が、MDT測定指示情報に従って、記録型測定構成メッセージをUEに送信する場合、基地局によって、UEから送信されたWLAN AP情報記録を受信するステップは、
基地局によって、UEから送信されたMDTログを受信するステップであって、MDTログは、WLAN AP情報記録を含む、ステップを含み、
基地局によって、WLAN AP情報記録をネットワークデバイスに送信するステップは、
基地局によって、MDTログをネットワークデバイスに送信するステップを含む。
【００３３】
第3の態様の第3の可能な実装方法に関して、第3の態様の第5の可能な実装方法において、基地局が、MDT測定指示情報に従って、RRC接続再構成メッセージをUEに送信する場合、基地局によって、UEから送信されたWLAN AP情報記録を受信するステップは、
基地局によって、UEから送信された測定報告を受信するステップであって、測定報告は、WLAN AP情報記録を含む、ステップを含み、
基地局によって、WLAN AP情報をネットワークデバイスに送信するステップは、
基地局によって、測定報告をネットワークデバイスに送信するステップを含む。
【００３４】
第3の態様の第3から第5までの可能な実装方法のうちのいずれか1つに関して、第3の態様の第6の可能な実装方法において、
WLAN AP情報を収集するときにUEによって記録されるUEのステータス情報は、
UEがWLAN AP信号を受信するための受信信号電力、UEの地理的位置情報、またはUEがWLAN AP情報を収集するための収集時間のうちの1つまたは複数の種類の情報を含む。
【００３５】
第3の態様または第3の態様の第1から第6までの可能な実装方法のうちのいずれか1つに関して、第3の態様の第7の可能な実装方法において、UEによって収集されたWLAN AP情報は、
媒体アクセス制御MACアドレス、サービスセット識別子SSID、暗号化タイプ、チャネル番号、使用されるプロトコル、またはデプロイヤのうちの1つまたは複数の種類の情報を含む。
【００３６】
第4の態様では、実現されるネットワークデバイスは、
ドライブテストの最小化MDT測定構成プロセスにおいて基地局にWLAN AP要求情報を送信するように構成された送信ユニットであって、WLAN AP要求情報は、ユーザ機器UEに、WLAN AP情報を報告するよう要求するために使用される、送信ユニットと、
基地局から送信されたWLAN AP情報を受信するように構成された受信ユニットであって、WLAN AP情報は、UEから基地局によって受信され、WLAN AP情報は、基地局から送信されたWLAN AP要求情報が受信された後、WLAN AP要求情報に従ってUEによって収集される、受信ユニットとを備える。
【００３７】
本発明のこの実施形態において実現されるネットワークデバイスの助けを借りて、UEは、モバイル通信ネットワークのアーキテクチャに基づき、MDT測定構成プロセスを使用することによって、WLAN AP情報を収集し、報告することができる。このようにして、WLAN AP情報は、簡便に、正確に、確実に収集され得る。
【００３８】
第4の態様に関して、第4の態様の第1の可能な実装方法において、送信ユニットがMDT測定構成プロセスにおいて基地局にWLAN AP要求情報を送信するように構成されることは、
送信ユニットが、MDT測定有効化メッセージを基地局に送信するように構成され、MDT測定有効化メッセージは、WLAN AP要求情報を含む、ことを含む。
【００３９】
第4の態様の第1の可能な実装方法に関して、第4の態様の第2の可能な実装方法において、MDT測定有効化メッセージは、MDT測定指示情報を含み、MDT測定指示情報は、基地局に、記録型測定構成メッセージまたは無線リソース制御RRC接続再構成メッセージをUEに送信することを命令するために使用され、記録型測定構成メッセージまたはRRC接続再構成メッセージは、WLAN AP要求情報を含む。
【００４０】
第4の態様または第4の態様の第1から第2までの可能な実装方法のうちのいずれか1つに関して、第4の態様の第3の可能な実装方法において、受信ユニットが基地局から送信されたWLAN AP情報を受信するように構成されることは、
受信ユニットが基地局から送信されたWLAN AP情報記録を受信するように構成され、WLAN AP情報記録は、UEによって収集されたWLAN AP情報、およびWLAN AP情報を収集するときにUEによって記録されたUEのステータス情報を含む、ことを含む。
【００４１】
第4の態様の第3の可能な実装方法に関して、第4の態様の第4の可能な実装方法において、受信ユニットが基地局から送信されたWLAN AP情報記録を受信するように構成されることは、
受信ユニットが基地局から送信されたMDTログを受信するように構成され、MDTログは、WLAN AP情報記録を含む、こと、または
受信ユニットが基地局から送信された測定報告を受信するように構成され、測定報告は、WLAN AP情報記録を含む、ことを含む。
【００４２】
第4の態様の第3から第4までの可能な実装方法のうちのいずれか1つに関して、第4の態様の第5の可能な実装方法において、WLAN AP情報を収集するときにUEによって記録されるUEのステータス情報は、
UEがWLAN AP信号を受信するための受信信号電力、UEの地理的位置情報、またはUEがWLAN AP情報を収集するための収集時間のうちの1つまたは複数の種類の情報を含む。
【００４３】
第4の態様または第4の態様の第1から第5までの可能な実装方法のうちのいずれか1つに関して、第4の態様の第6の可能な実装方法において、UEによって収集されたWLAN AP情報は、
媒体アクセス制御MACアドレス、サービスセット識別子SSID、暗号化タイプ、チャネル番号、使用されるプロトコル、またはデプロイヤのうちの1つまたは複数の種類の情報を含む。
【００４４】
第4の態様の第6の可能な実装方法に関して、第4の態様の第7の可能な実装方法において、ネットワークデバイスは、
WLAN AP情報記録が、WLAN APのMACアドレスを含んでいるときに、MACアドレスをサーチ識別子として使用することによってWLAN AP情報記録データベースを確立または更新するように構成された処理ユニットと、
WLAN AP情報記録データベースを格納するように構成されたメモリユニットとをさらに備える。
【００４５】
第4の態様の第7の可能な実装方法に関して、第4の態様の第8の可能な実装方法において、処理ユニットは、WLAN AP情報記録がUEの地理的位置情報を含まない場合に、WLAN AP情報記録データベースを更新するときに確立されているWLAN AP情報記録データベースに従ってUEの地理的位置情報を決定するように構成され、確立されているWLAN AP情報記録データベースは、少なくとも1つのWLAN AP情報記録を含む。
【００４６】
第4の態様の第8の可能な実装方法に関して、第4の態様の第9の可能な実装方法において、UEの地理的位置情報を含まないWLAN AP情報記録は、第1のWLAN AP情報記録として記録され、UEは、第1のUEであり、
処理ユニットが、確立されているWLAN AP情報記録データベースに従ってUEの地理的位置情報を決定するように構成されることは、
処理ユニットが、第2のWLAN AP情報記録に対する確立されているWLAN AP情報記録データベースを、第1のWLAN AP情報記録に含まれるWLAN APのMACアドレスをサーチ識別子として使用することによって、サーチし、第2のWLAN AP情報記録は、MACアドレスを含み、また第2のUEの地理的位置情報を含み、
第2のWLAN AP情報記録が、確立されているWLAN AP情報記録データベース内に存在している場合に、第2のWLAN AP情報記録に含まれる第2のUEの地理的位置情報を第1のUEの地理的位置情報として決定するように構成されることを含む。
【００４７】
第4の態様の第9の可能な実装方法に関して、第4の態様の第10の可能な実装方法において、処理ユニットは、受信ユニットが第1のWLAN AP情報記録を受信するときに受信ユニットがMDT測定結果も受信する場合に、MDT測定結果を第1のUEの地理的位置情報に関連付け、第1のUEの地理的位置情報は、確立されているWLAN AP情報記録データベースに従って位置決定ユニットによって決定され、MDT測定結果は、MDT測定を通じて第1のUEによって取得される、ように構成される。
【００４８】
第4の態様または第4の態様の第1から第10までの可能な実装方法のうちのいずれか1つに関して、第4の態様の第11の可能な実装方法において、ネットワークデバイスは、ネットワーク管理システムデバイス、モビリティ管理エンティティMME、またはサービス汎用パケット無線サービスサポートノードSGSNである。
【００４９】
第5の態様では、実現されるユーザ機器UEは、
基地局から送信されたWLAN AP要求情報を受信するように構成された受信ユニットであって、WLAN AP要求情報は、ドライブテストの最小化MDT測定構成プロセスにおいてネットワークデバイスから基地局に送信され、WLAN AP要求情報は、UEに、WLAN AP情報を報告するよう要求するために使用される、受信ユニットと、
WLAN AP要求情報に従ってWLAN AP情報を収集するように構成された収集ユニットと、
WLAN AP情報を基地局に送信するように構成され、これにより、基地局がWLAN AP情報をネットワークデバイスに送信する、送信ユニットとを備える。
【００５０】
本発明のこの実施形態で実現されるユーザ機器UEは、モバイル通信ネットワークのアーキテクチャに基づき、MDT測定構成プロセスを使用することによって、WLAN AP情報を収集し、報告することができる。このようにして、WLAN AP情報は、簡便に、正確に、確実に収集され得る。
【００５１】
第5の態様に関して、第5の態様の第1の可能な実装方法において、収集ユニットがWLAN AP要求情報に従ってWLAN AP情報を収集するように構成されることは、
収集ユニットが、WLAN AP要求情報に従ってWLANサーチを実行し、サーチされたWLAN APのうちの特定のWLAN APに関する情報を記録するように構成され、特定のWLAN APは、特定のデプロイヤを有するWLAN APまたは特定のサービスセット識別子SSIDを有するWLAN APを含む、ことを含む。
【００５２】
第5の態様または第5の態様の第1の可能な実装方法に関して、第5の態様の第2の可能な実装方法において、収集ユニットは、WLAN AP情報を収集するときにUEのステータス情報を記録し、WLAN AP情報記録を取得するように構成され、WLAN AP情報記録は、UEによって収集されたWLAN AP情報、およびWLAN AP情報を収集するときにUEによって記録されたUEのステータス情報を含み、
送信ユニットが基地局にWLAN AP情報を送信するように構成されることは、
送信ユニットがWLAN AP情報記録を基地局に送信するように構成されることを含む。
【００５３】
第5の態様の第2の可能な実装方法に関して、第5の態様の第3の可能な実装方法において、受信ユニットが基地局から送信されたWLAN AP要求情報を受信するように構成されることは、
受信ユニットが基地局から送信された記録型測定構成メッセージを受信するように構成され、記録型測定構成メッセージは、WLAN AP要求情報を含む、ことを含み、
送信ユニットが基地局にWLAN AP情報を送信するように構成されることは、
送信ユニットがMDTログを基地局に送信するように構成され、MDTログは、WLAN AP情報記録を含む、ことを含む。
【００５４】
第5の態様の第2の可能な実装方法に関して、第5の態様の第4の可能な実装方法において、受信ユニットが基地局から送信されたWLAN AP要求情報を受信するように構成されることは、
受信ユニットが基地局から送信された無線リソース制御RRC接続再構成メッセージを受信するように構成され、RRC接続再構成メッセージは、WLAN AP要求情報を含む、ことを含み、
送信ユニットが基地局にWLAN AP情報を送信するように構成されることは、
送信ユニットが測定報告を基地局に送信するように構成され、測定報告は、WLAN AP情報を含む、ことを含む。
【００５５】
第5の態様の第2から第4までの可能な実装方法のうちのいずれか1つに関して、第5の態様の第5の可能な実装方法において、WLAN AP情報を収集するときにUEによって記録されるUEのステータス情報は、
UEがWLAN AP信号を受信するための受信信号電力、UEの地理的位置情報、またはUEがWLAN AP情報を収集するための収集時間のうちの1つまたは複数の種類の情報を含む。
【００５６】
第5の態様または第5の態様の第1から第5までの可能な実装方法のうちのいずれか1つに関して、第5の態様の第6の可能な実装方法において、UEによって収集されたWLAN AP情報は、
媒体アクセス制御MACアドレス、サービスセット識別子SSID、暗号化タイプ、チャネル番号、使用されるプロトコル、またはデプロイヤのうちの1つまたは複数の種類の情報を含む。
【００５７】
第6の態様では、実現される基地局は、
ドライブテストの最小化MDT測定構成プロセスにおいてネットワークデバイスから送信されたWLAN AP要求情報を受信するように構成された受信ユニットであって、WLAN AP要求情報は、ユーザ機器UEに、WLAN AP情報を報告するよう要求するために使用される、受信ユニットと、
WLAN AP要求情報をUEに送信するように構成された送信ユニットとを備え、
受信ユニットは、UEから送信されたWLAN AP情報を受信するように構成され、WLAN AP情報はWLAN AP要求情報に従ってUEによって収集され、
送信ユニットは、WLAN AP情報をネットワークデバイスに送信するように構成される。
【００５８】
本発明のこの実施形態において実現される基地局の助けを借りて、UEは、モバイル通信ネットワークのアーキテクチャに基づき、MDT測定構成プロセスを使用することによって、WLAN AP情報を収集し、報告することができる。このようにして、WLAN AP情報は、簡便に、正確に、確実に収集され得る。
【００５９】
第6の態様に関して、第6の態様の第1の可能な実装方法において、受信ユニットがMDT測定構成プロセスにおいてネットワークデバイスから送信されたWLAN AP要求情報を受信するように構成されることは、
受信ユニットがMDT測定有効化メッセージを受信するように構成され、MDT測定有効化メッセージは、WLAN AP要求情報を含む、ことを含む。
【００６０】
第6の態様の第1の可能な実装方法に関して、第6の態様の第2の可能な実装方法において、MDT測定有効化メッセージは、MDT測定指示情報を含み、MDT測定指示情報は、基地局に、記録型測定構成メッセージまたは無線リソース制御RRC接続再構成メッセージをUEに送信することを命令するために使用され、記録型測定構成メッセージまたはRRC接続再構成メッセージは、WLAN AP要求情報を含む。
【００６１】
第6の態様または第6の態様の第1から第2までの可能な実装方法のうちのいずれか1つに関して、第6の態様の第3の可能な実装方法において、受信ユニットがUEから送信されたWLAN AP情報を受信するように構成されることは、
受信ユニットが、UEから送信されたWLAN AP情報記録を受信するように構成され、WLAN AP情報記録は、UEによって収集されたWLAN AP情報、およびWLAN AP情報を収集するときにUEによって記録されたUEのステータス情報を含む、ことを含み、
送信ユニットがネットワークデバイスにWLAN AP情報を送信するように構成されることは、
送信ユニットがWLAN AP情報記録をネットワークデバイスに送信するように構成されることを含む。
【００６２】
第6の態様の第3の可能な実装方法に関して、第6の態様の第4の可能な実装方法において、送信ユニットがUEにWLAN AP要求情報を送信するように構成されることは、送信ユニットが、MDT測定指示情報に従って、記録型測定構成メッセージを送信するように構成されることを含み、
受信ユニットがUEから送信されたWLAN AP情報記録を受信するように構成されることは、受信ユニットがUEから送信されたMDTログを受信するように構成され、MDTログは、WLAN AP情報記録を含む、ことを含み、
送信ユニットがネットワークデバイスにWLAN AP情報記録を送信するように構成されることは、送信ユニットがMDTログをネットワークデバイスに送信するように構成されることを含む。
【００６３】
第6の態様の第3の可能な実装方法に関して、第6の態様の第5の可能な実装方法において、送信ユニットがUEにWLAN AP要求情報を送信するように構成されることは、送信ユニットが、MDT測定指示情報に従って、RRC接続再構成メッセージを送信するように構成されることを含み、
受信ユニットがUEから送信されたWLAN AP情報記録を受信するように構成されることは、受信ユニットがUEから送信された測定報告を受信するように構成され、測定報告は、WLAN AP情報記録を含む、ことを含み、
送信ユニットがネットワークデバイスにWLAN AP情報記録を送信するように構成されることは、送信ユニットが測定報告をネットワークデバイスに送信するように構成されることを含む。
【００６４】
第6の態様の第3から第5までの可能な実装方法のうちのいずれか1つに関して、第6の態様の第6の可能な実装方法において、WLAN AP情報を収集するときにUEによって記録されるUEのステータス情報は、
UEがWLAN AP信号を受信するための受信信号電力、UEの地理的位置情報、またはUEがWLAN AP情報を収集するための収集時間のうちの1つまたは複数の種類の情報を含む。
【００６５】
第6の態様または第6の態様の第1から第6までの可能な実装方法のうちのいずれか1つに関して、第6の態様の第7の可能な実装方法において、UEによって収集されたWLAN AP情報は、
媒体アクセス制御MACアドレス、サービスセット識別子SSID、暗号化タイプ、チャネル番号、使用されるプロトコル、またはデプロイヤのうちの1つまたは複数の種類の情報を含む。
【００６６】
第7の態様において、実現される通信システムは、
第4の態様または第4の態様の第1から第11までの可能な実装方法のうちのいずれか1つにおいて実現されるネットワークデバイスと、第5の態様または第5の態様の第1から第6までの可能な実装方法のうちのいずれか1つにおいて実現されるユーザ機器と、第6の態様または第6の態様の第1から第7までの可能な実装方法のうちのいずれか1つにおいて実現される基地局とを備え、
ネットワークデバイスは、ドライブテストの最小化MDT測定構成プロセスにおいて基地局にWLAN AP要求情報を送信するように構成され、WLAN AP要求情報は、UEに、WLAN AP情報を報告するよう要求するために使用され、
基地局は、WLAN AP要求情報をUEに送信するように構成され、
UEは、WLAN AP要求情報に従ってWLAN AP情報を収集し、WLAN AP情報を基地局に報告するように構成され、
基地局は、UEから送信されたWLAN AP情報を受信し、WLAN AP情報をネットワークデバイスに送信するように構成され、
ネットワークデバイスは、基地局から送信されたWLAN AP情報を受信するように構成される。
【００６７】
本発明のこの実施形態で実現される通信システムにおいて、UEは、モバイル通信ネットワークのアーキテクチャに基づき、MDT測定構成プロセスを使用することによって、WLAN AP情報を収集し、報告することができる。このようにして、WLAN AP情報は、簡便に、正確に、確実に収集され得る。
【図面の簡単な説明】
【００６８】
【図１】本発明の一実施形態によるワイヤレスローカルエリアネットワークのアクセスポイントに関する情報を収集するための方法の概略流れ図である。
【図２】本発明の一実施形態によるワイヤレスローカルエリアネットワークのアクセスポイントに関する情報を収集するための方法の適用シナリオの概略図である。
【図３】本発明の一実施形態によるワイヤレスローカルエリアネットワークのアクセスポイントに関する情報を収集するための方法の概略流れ図である。
【図４】本発明の一実施形態によるワイヤレスローカルエリアネットワークのアクセスポイントに関する情報を収集するための方法の概略流れ図である。
【図５】本発明の一実施形態によるユーザ機器の概略構造図である。
【図６】本発明の一実施形態による基地局の概略構造図である。
【図７】本発明の一実施形態によるネットワークデバイスの概略構造図である。
【図８】本発明の一実施形態によるユーザ機器の概略構造図である。
【図９】本発明の一実施形態による基地局の概略構造図である。
【図１０】本発明の一実施形態によるネットワークデバイスの概略構造図である。
【図１１】本発明の一実施形態による通信システムの概略構造図である。
【図１２】本発明の一実施形態による別の通信システムの概略構造図である。
【発明を実施するための形態】
【００６９】
本発明の目的、技術的解決策、および利点をより明確にするために、以下では、添付図面および特定の実施形態を参照しつつ本発明の技術的解決策を詳細にさらに説明する。
【００７０】
本発明の実施形態で提供される技術的解決策は、ユニバーサルモバイル通信(universal mobile telecommunication system、UMTS)システム、汎用パケット無線通信(general packet radio service)システム、ロングタームエボリューション(long term evolution、LTE)システム、およびロングタームエボリューションアドバンスト(long term evolution advanced、LTE- A)などのさまざまなモバイル通信ネットワークに適用され得る。「ネットワーク」および「システム」という用語は、交換可能である。
【００７１】
本発明の実施形態では、基地局(base station、BS)は、ユーザ機器(user equipment、UE)と通信するサイトまたは中継サイトなどの別の通信サイトとすることができる。基地局は、特定の物理的領域に対する通信サービスエリアを設けることができる。UEは、ワイヤレスネットワーク全体に分散させることができ、またそれぞれのUEは固定されたものでも移動できるものでもよい。UEは、端末(terminal)、移動局(mobile station)、加入者ユニット(subscriber unit)、局(station)、または同様の名称で称され得る。UEは、携帯電話(cellular phone)、携帯情報端末(personal digital assistant、PDA)、ワイヤレスモデム(modem)、ワイヤレス通信デバイス、ハンドヘルドデバイス(hand-held)、ラップトップコンピュータ(laptop computer)、または同様のものであってもよい。ワイヤレスローカルエリアネットワーク上のアクセスポイント(access point、AP)は、ワイヤレスアクセスノード、セッションノード、またはアクセッサブリッジとも称され得る。これは、純粋にワイヤレスのAPを特に示し得るか、ワイヤレスルータも示し得るか、またはUEに対してワイヤレス方式でワイヤレスローカルエリアネットワークへのアクセスを提供することができる別のデバイスも示し得る。本発明の実施形態では、基地局は、UMTSシステムおよびLTEシステムなどのモバイル通信ネットワーク内で動作し、ワイヤレスローカルエリアネットワーク上のアクセスポイントAPは、ワイヤレスローカルエリアネットワーク内で動作する。
【００７２】
図1を参照すると、ワイヤレスローカルエリアネットワークのアクセスポイントに関する情報を収集するために本発明のこの実施形態で提供される方法は、以下を含む。
【００７３】
ステップS101:ユーザ機器UEは、基地局から送信されたWLAN AP要求情報を受信する。
【００７４】
WLAN AP要求情報は、ドライブテストの最小化MDT測定構成プロセスにおいてネットワークデバイスから基地局に送信され、WLAN AP要求情報は、UEに、WLAN AP情報を報告するよう要求するために使用される。
【００７５】
ドライブテストの最小化(minimization of drive tests、MDT)技術は、第三世代パートナーシッププロジェクト(3rd generation partnership project、3GPP)標準化機構によって提案された革新的ドライブテスト技術である。MDT測定構成は、モバイル通信ネットワークを通じてユーザ機器UE上で実行され、UEは、MDT測定構成に従ってMDT測定を実行し、MDT測定結果を報告する。MDT測定プロセスは、ユーザ側の裁量によりユーザ機器UEの関与を必要とするので、モバイル通信ネットワークでは、ユーザの裁量により特定のUE上でMDT測定構成を実行することができる。特定のUEは、MDT測定を実行することに同意している所定のUEであってよく、たとえば、特定のUEは、MDT測定の承認に対する通信事業会社との契約書に事前に署名しているUEであってよい。
【００７６】
モバイル通信ネットワーク側は、MDT測定構成情報をユーザ機器UEに送信し、測定対象、報告構成、測定識別子、量構成、および測定ギャップなどの、MDT測定を実行するためにUE側で必要とするパラメータを指示することができる。MDT測定構成情報を受信した後、UEは、MDT測定構成情報に従ってMDT測定を実行することができ、MDT測定結果を報告する。MDT測定結果は、MDT測定構成情報に関係しており、特に、受信信号コード電力(received signal code power、RSCP)、受信信号強度インジケータ(received signal strength indicator、RSSI)、チップエネルギー対雑音電力比Ec/No、基準信号受信電力(reference signal received power、RSRP)、基準信号受信品質(reference signal received quality、RSRQ)、または同様のものとすることができる。
【００７７】
ステップS102:UEは、WLAN AP要求情報に従ってWLAN AP情報を収集する。
【００７８】
UEがWLAN AP要求情報を受信した後、UEがWLANアクセス機能をサポートしている場合、UEは、UEの近くのWLAN APに関する情報を収集するためにWLANサーチを実行することができる。たとえば、UEは、WLAN APから定期的に送信されるブロードキャストビーコン(beacon)をスヌーピングするか、またはアクティブスキャン(active scanning)でプローブ応答(probe response)を使用することによって、UEの近くのWLAN APに関する情報を取得することができる。
【００７９】
UEによって収集されたWLAN AP情報は、WLAN APに関する、媒体アクセス制御MACアドレス、サービスセット識別子SSID、暗号化タイプ、チャネル番号、使用されるプロトコル、またはデプロイヤのうちの1つまたは複数の種類の情報を含み得る。ハードウェアアドレスとも称される、MACアドレスは、長さが48ビットであり、12個の16進数によって形成される。それぞれのWLAN APは、グローバルな固有MACアドレスを有する。サービスセット識別子SSIDは、WLAN APのデプロイ時にデプロイヤによって自己定義され得る。デプロイヤは、通信事業者、企業、学校、または個人であってよい。暗号化の種類は、WPA(Wi-Fi Protected Access)、WPA2(Wi-Fi Protected Access 2)、またはPSK(Pre-shared Key)とすることができる。使用されるプロトコルは、802.11a、802.11b、802.11g、および802.11nなどのIEEE(Institute of Electrical and Electronics Engineers)802.11シリーズのプロトコルとすることができる。チャネル番号は、UEによって検出されたWLAN APが動作するチャネルの番号である。
【００８０】
ステップS103:UEは、WLAN AP情報を基地局に送信し、これにより、基地局は、WLAN AP情報をネットワークデバイスに送信する。
【００８１】
図1に示されている実施形態において提供されるワイヤレスローカルエリアネットワークのアクセスポイントに関する情報を収集するための方法において、UEは、モバイル通信ネットワークのアーキテクチャに基づき、MDT測定構成プロセスを使用することによって、WLAN AP情報を収集し、報告することができる。このようにして、WLAN AP情報は、簡便に収集され得る。それに加えて、MDT測定を実行するUEは、MDT測定構成プロセスにおいて選択可能であるので、この方法を使用することによって収集されるWLAN AP情報は、正確さおよび信頼性も高い。
【００８２】
適宜、ステップS101におけるWLAN AP要求情報は、UEに、特定のWLAN APに関する情報を報告するよう要求するために使用されるものとしてよく、ステップS102で、WLAN AP要求情報に従ってWLAN AP情報を収集するときに、UEは、サーチされたWLAN APのうちの特定のWLAN APに関する情報を記録することができる。特定のWLAN APは、特定のデプロイヤを有するWLAN APまたは特定のサービスセット識別子SSIDを有するWLAN APを含む。
【００８３】
たとえば、特定の通信事業会社によってデプロイされたWLAN APに関する情報のみが収集され、これにより、通信事業会社のWLANネットワークのカバーエリアを特に最適化するためにその後使用される。たとえば、通信事業会社が特定のSSIDを定義し、そのSSIDおよび地上波公共移動通信ネットワーク(public land mobile network、PLMN)をバインドする場合、通信事業会社は、特定のサービスセット識別子SSIDを有するWLAN APに関する情報のみを収集することもできる。
【００８４】
適宜、UEは、WLAN AP情報を収集するときにUEのステータス情報をさらに記録し、これによりWLAN AP情報記録を取得することができる。WLAN AP情報記録は、UEによって収集されたWLAN AP情報、およびWLAN AP情報を収集するときにUEによって記録されたUEのステータス情報を含み、UEによって、WLAN AP情報を基地局に送信するステップは、UEによって、WLAN AP情報記録を基地局に送信するステップを含む。
【００８５】
UEのステータス情報は、UEがWLAN AP信号を受信するための受信信号電力、UEの地理的位置情報、またはUEがWLAN AP情報を収集するための収集時間のうちの1つまたは複数の種類の情報を含む。受信信号電力は、UEとWLAN APとの間の距離を反映し得る。一般的に、WLAN APの送信電力が決定された後、UEとWLAN APと間の距離が小さければ小さいほど、受信信号電力は高くなる。地理的位置情報は、WLAN AP情報を収集するときのUEの地理的位置情報である。たとえば、UEが全地球的航法衛星システム(Global Navigation Satellite System、GNSS)機能をサポートしている場合、UEは、GNSSデバイスを起動することによって地理的位置情報を取得することができる。収集時間は、UEがWLAN AP情報を収集する時間である。これは、絶対時間であるか、または構成配信時間に関する相対的収集時間であるものとしてよい。
【００８６】
適宜、ステップS101で、UEによって、基地局から送信されたWLAN AP要求情報を受信するステップは、UEによって、基地局から送信された記録型測定構成(Logged Measurement Configuration)メッセージを受信するステップであって、記録型測定構成メッセージは、WLAN AP要求情報を含む、ステップ、または、UEによって、基地局から送信された無線リソース制御(radio resource control、RRC)接続再構成(RRC Connection Reconfiguration)メッセージを受信するステップであって、RRC接続再構成メッセージは、WLAN AP要求情報を含む、ステップを含み得る。
【００８７】
UEが記録型測定構成メッセージを受信したときに、UEは、記録型MDT(Logged MDT)測定モードを使用することができ、UEは、RRCアイドル状態(RRC idle)でMDT測定を実行することができる。UEがRRC接続再構成メッセージを受信したときに、UEは、即時型MDT(Immediate MDT)測定モードを使用することができ、UEは、RRC接続状態(RRC connected)でMDT測定を実行することができる。
【００８８】
UEが、記録型測定構成メッセージを通じて、WLAN AP要求情報を受信する場合、適宜、UEによって、WLAN AP要求情報に従ってWLANサーチを実行し、ステップS102において記録するステップは、UEがRRCアイドル状態にあるときに実行されるものとしてよく、UEによって、WLAN AP情報記録を基地局に送信するステップは、UEによって、MDTログを基地局に送信するステップであって、MDTログは、WLAN AP情報記録を含む、ステップを含むものとしてよく、UEがMDTログを基地局に送信する前に、UEによって、MDTログ利用可能メッセージを基地局に送信するステップと、UEによって、基地局から送信されたMDTログ要求メッセージを受信するステップとが含まれ得る。
【００８９】
UEが、RRC接続再構成メッセージを通じて、WLAN AP要求情報を受信する場合、適宜、UEによって、WLAN AP要求情報に従ってWLANサーチを実行し、ステップS102において記録するステップは、UEがRRC接続状態にあるときに実行されるものとしてよく、UEによって、WLAN AP情報記録を基地局に送信するステップは、UEによって、測定報告を基地局に送信するステップであって、測定報告は、WLAN AP情報記録を含む、ステップを含み得る。
【００９０】
UEがWLAN APサーチを実行しているときに複数のWLAN APが見つかった場合に、UEは、同時に複数のWLAN AP情報記録を取得することができ、複数のWLAN AP情報記録は、複数のWLAN APに別々に対応し、複数のWLAN AP情報記録は、同じ地理的位置情報および収集時間を有するものとしてよいことに留意されたい。
【００９１】
図2を参照しつつ、以下では、図1に示されている実施形態においてUEによって収集され、報告されるWLAN AP情報記録について説明する。図2において、2つのUEは、3つのAPのカバーエリア内に分散されていると仮定されている。一般性を失うことなく、2つのUEの識別子は、UE1およびUE2としてそれぞれマークされ、3つのSPのSSIDは、AP1、AP2、およびAP3としてそれぞれマークされる。UE1は、AP1、AP2、およびAP3を見つけ、記録を通じて3つのWLAN AP情報記録を取得する。UE2は、AP1およびAP2を見つけ、記録を通じて2つのWLAN AP情報記録を取得する。
【００９２】
Table-1(表1)は、ユーザ機器UE1によって収集され、報告される3つのWLAN AP情報記録を一覧にしたものである。この表のデータは、例示的なデータであり、本発明のこの実施形態に対する制限とはならない。
【００９３】
【表１】
0006651239.tif 000002
【００９４】
Table-2(表2)は、ユーザ機器UE2によって収集され、報告される2つのWLAN AP情報記録を一覧にしたものである。この表のデータは、例示的なデータであり、この表のデータの形式および値は、本発明のこの実施形態に対する制限とはならない。
【００９５】
図2を参照しつつTable-1(表1)およびTable-2(表2)のデータを観察することによって、同じWLAN APについて、異なる位置にある異なるUEの受信信号電力は、UEとAPとの間の距離に直接関係し、この距離が短ければ短いほど、受信電力は高くなり、異なるUEによって収集されるWLAN APに関する情報は整合しているということがわかる。同じUEによって収集される複数のWLAN AP情報記録に対して、収集時間および地理的位置は、整合している。
【００９６】
UEが複数のWLAN AP情報記録を収集する場合、UEは、複数のWLAN AP情報記録をすべて基地局に送信し得るか、またはWLAN AP情報記録の一部のみを基地局に送信するものとしてよく、たとえば、最大の受信信号電力を含む1つまたはいくつかのWLAN AP情報記録のみを送信し、UEは、複数のWLAN AP情報記録を一度に送信し得るか、または複数のWLAN AP情報記録を複数回で送信し得る。
【００９７】
【表２】
0006651239.tif 000003
【００９８】
モバイル通信ネットワークのアーキテクチャに基づく、オプションの技術的解決策において、WLAN AP情報を収集するUEのステータス情報も、WLAN AP情報が収集されるときに取得され得る。収集されたWLAN AP情報、UEがWLAN AP信号を受信するための受信信号電力、UEの地理的位置情報、またはUEがWLAN AP情報を収集するための収集時間の組み合わせに従って、ネットワークカバーエリアおよび信号強度などの、WLAN APの稼働状態を知ることができる。さらに、この情報を使用して、WLANを最適化する、たとえば、WLANのネットワークカバーエリアを最適化することができる。
【００９９】
図3を参照すると、ワイヤレスローカルエリアネットワークのアクセスポイントに関する情報を収集するために本発明のこの実施形態で提供される方法は、以下を含んでいる。
【０１００】
ステップS301:基地局は、ドライブテストの最小化MDT測定構成プロセスにおいてネットワークデバイスから送信されたWLAN AP要求情報を受信し、WLAN AP要求情報は、ユーザ機器UEに、WLAN AP情報を報告するよう要求するために使用される。
【０１０１】
ステップS302:基地局は、WLAN AP要求情報をUEに送信する。
【０１０２】
ステップS303:基地局は、UEから送信されたWLAN AP情報を受信し、WLAN AP情報はWLAN AP要求情報に従ってUEによって収集される。
【０１０３】
ステップS304:基地局は、WLAN AP情報をネットワークデバイスに送信する。
【０１０４】
図3に示されている実施形態において提供されるワイヤレスローカルエリアネットワークのアクセスポイントに関する情報を収集するための方法は、図1に示されている実施形態で提供される方法と整合している。図1に示されている実施形態は、ユーザ機器の観点から方法について説明しており、図3に示されている実施形態は、基地局の観点から方法について説明している。関係する概念の内容については、図1に示されている実施形態における説明が参照されるものとしてよく、したがって、ここで再びさらなる詳細を示すことはしない。
【０１０５】
図3に示されている実施形態において提供されるワイヤレスローカルエリアネットワークのアクセスポイントに関する情報を収集するための方法において、UEは、モバイル通信ネットワークのアーキテクチャに基づき、MDT測定構成プロセスを使用することによって、WLAN AP情報を収集し、報告することができる。このようにして、WLAN AP情報は、簡便に、正確に、確実に収集され得る。
【０１０６】
適宜、基地局によって、ドライブテストの最小化MDT測定構成プロセスにおいてネットワークデバイスから送信されたWLAN AP要求情報を受信するステップは、基地局によって、ネットワークデバイスから送信されたMDT測定有効化メッセージを受信するステップであって、MDT測定有効化メッセージは、WLAN AP要求情報を含む、ステップを含み得る。
【０１０７】
適宜、MDT測定有効化メッセージは、MDT測定指示情報を含むものとしてよく、これは、基地局に、記録型測定構成メッセージまたは無線リソース制御RRC接続再構成メッセージをUEに送信することを命令するために使用され、記録型測定構成メッセージまたはRRC接続再構成メッセージは、WLAN AP要求情報を含む。ネットワークデバイスは、ネットワーク管理システムデバイス、モビリティ管理エンティティ(mobility management entity、MME)、またはサービング汎用パケット無線サービス(general packet radio service、GPRS)サポートノード(serving GPRS support node、SGSN)であるか、またはMDT測定構成を実行することができる別のネットワークデバイスであってもよい。MDT測定有効化メッセージの種類は、MDT測定有効化メッセージを送信するネットワークデバイスに関係する。たとえば、ネットワークデバイスがネットワーク管理システムデバイスである場合、MDT測定有効化メッセージは、トレースセッション有効化要求(trace session activation request)メッセージであり、ネットワークデバイスがMMEである場合、MDT測定有効化メッセージは、初期コンテキストセットアップ要求(initial context setup request)メッセージであるものとしてよい。
【０１０８】
適宜、ステップS302で、基地局によって、WLAN AP要求情報をユーザ機器UEに送信するステップは、基地局によって、MDT測定指示情報に従って、記録型測定構成メッセージをUEに送信するステップであって、記録型測定構成メッセージは、WLAN AP要求情報を含む、ステップ、または、基地局によって、MDT測定指示情報に従って、RRC接続再構成メッセージをUEに送信するステップであって、RRC接続再構成メッセージは、WLAN AP要求情報を含む、ステップを含む。
【０１０９】
適宜、ステップS303で、基地局によって、UEから送信されたWLAN AP情報を受信するステップは、基地局によって、UEから送信されたWLAN AP情報記録を受信するステップであって、WLAN AP情報記録は、UEによって収集されたWLAN AP情報、およびWLAN AP情報を収集するときにUEによって記録されたUEのステータス情報を含む、ステップを含む。
【０１１０】
ステップS304で、基地局によって、WLAN AP情報をネットワークデバイスに送信するステップは、基地局によって、WLAN AP情報記録をネットワークデバイスに送信するステップを含む。
【０１１１】
基地局が、記録型測定構成メッセージをUEに送信する場合、基地局によって、UEから送信されたWLAN AP情報記録を受信するステップは、基地局によって、UEから送信されたMDTログを受信するステップであって、MDTログは、WLAN AP情報記録を含む、ステップを含み、基地局によって、WLAN AP情報記録をネットワークデバイスに送信するステップは、基地局によって、MDTログをネットワークデバイスに送信するステップを含む。
【０１１２】
基地局が、MDT測定指示情報に従って、RRC接続再構成メッセージをUEに送信する場合、基地局によって、UEから送信されたWLAN AP情報記録を受信するステップは、基地局によって、UEから送信された測定報告を受信するステップであって、測定報告は、WLAN AP情報記録を含む、ステップを含み、基地局によって、WLAN AP情報記録をネットワークデバイスに送信するステップは、基地局によって、測定報告をネットワークデバイスに送信するステップを含む。
【０１１３】
基地局は、WLAN AP情報記録をネットワークデバイスに送信し、これにより、ネットワークデバイスは、WLAN AP情報記録に従ってWLAN AP情報記録データベースを確立するか、または更新することができる。
【０１１４】
モバイル通信ネットワークのアーキテクチャに基づく、オプションの技術的解決策において、WLAN AP情報を収集するUEのステータス情報も、WLAN AP情報が収集されるときに取得され得る。収集されたWLAN AP情報、UEがWLAN AP信号を受信するための受信信号電力、UEの地理的位置情報、またはUEがWLAN AP情報を収集するための収集時間の組み合わせに従って、ネットワークカバーエリアおよび信号強度などの、WLAN APの稼働状態を知ることができる。さらに、この情報を使用して、WLANを最適化する、たとえば、WLANのネットワークカバーエリアを最適化することができる。
【０１１５】
図4を参照すると、ワイヤレスローカルエリアネットワークのアクセスポイントに関する情報を収集するために本発明のこの実施形態で提供される方法は、以下を含んでいる。
【０１１６】
ステップS401:ネットワークデバイスは、ドライブテストの最小化MDT測定構成プロセスにおいてWLAN AP要求情報を基地局に送信し、WLAN AP要求情報は、ユーザ機器UEに、WLAN AP情報を報告するよう要求するために使用される。
【０１１７】
ステップS402:ネットワークデバイスは、基地局から送信されたWLAN AP情報を受信し、WLAN AP情報は、UEから基地局によって受信され、WLAN AP情報は、基地局から送信されたWLAN AP要求情報が受信された後、WLAN AP要求情報に従ってUEによって収集される。
【０１１８】
図4に示されている実施形態において提供されるワイヤレスローカルエリアネットワークのアクセスポイントに関する情報を収集するための方法は、図1および図3に示されている実施形態で提供される方法と整合している。図1および図3に示されている実施形態は、ユーザ機器の観点から、また基地局の観点から、方法についてそれぞれ説明しており、図4に示されている実施形態は、ネットワークデバイスの観点から方法について説明している。関係する内容については、図1および図3に示されている実施形態における説明が参照されるものとしてよく、ここで再びさらなる詳細を示すことはしない。ネットワークデバイスは、ネットワーク管理システムデバイス、モビリティ管理エンティティ(mobility management entity、MME)、またはサービング汎用パケット無線サービス(general packet radio service、GPRS)サポートノード(serving GPRS support node、SGSN)であるか、またはMDT測定を実行することを基地局に命令することができる別のネットワークデバイスであってもよい。
【０１１９】
図4に示されている実施形態において提供されるワイヤレスローカルエリアネットワークのアクセスポイントに関する情報を収集するための方法において、UEは、モバイル通信ネットワークのアーキテクチャに基づき、MDT測定構成プロセスを使用することによって、WLAN AP情報を収集し、報告することができる。このようにして、WLAN AP情報は、簡便に、正確に、確実に収集され得る。
【０１２０】
適宜、ステップS401で、ネットワークデバイスによって、ドライブテストの最小化MDT測定構成プロセスにおいて基地局にWLAN AP要求情報を送信するステップは、ネットワークデバイスによって、MDT測定有効化メッセージを基地局に送信するステップであって、MDT測定有効化メッセージは、WLAN AP要求情報を含む、ステップを含み得る。
【０１２１】
適宜、MDT測定有効化メッセージは、MDT測定指示情報をさらに含み、MDT測定指示情報は、基地局に、記録型測定構成メッセージまたは無線リソース制御RRC接続再構成メッセージをUEに送信することを命令するために使用され、記録型測定構成メッセージまたはRRC接続再構成メッセージは、WLAN AP要求情報を含む。
【０１２２】
適宜、ステップS402で、ネットワークデバイスによって、基地局から送信されたWLAN AP情報を受信するステップは、以下のように、ネットワークデバイスによって、基地局から送信されたWLAN AP情報記録を受信するステップであって、WLAN AP情報記録は、UEによって収集されたWLAN AP情報、およびWLAN AP情報を収集するときにUEによって記録されたUEのステータス情報を含む、ステップであってよい。
【０１２３】
ネットワークデバイスによって、基地局から送信されたWLAN AP情報記録を受信するステップは、
基地局が、記録型測定構成メッセージをUEに送信する場合に、ネットワークデバイスによって、基地局から送信されたMDTログを受信するステップであって、MDTログは、WLAN AP情報記録を含む、ステップ、または
基地局が、RRC接続再構成メッセージをUEに送信する場合に、ネットワークデバイスによって、基地局から送信された測定報告を受信するステップであって、測定報告は、WLAN AP情報記録を含む、ステップを含む。
【０１２４】
モバイル通信ネットワークのアーキテクチャに基づく、オプションの技術的解決策において、WLAN AP情報を収集するUEのステータス情報も、WLAN AP情報が収集されるときに取得され得る。収集されたWLAN AP情報、UEがWLAN AP信号を受信するための受信信号電力、UEの地理的位置情報、またはUEがWLAN AP情報を収集するための収集時間の組み合わせに従って、ネットワークカバーエリアおよび信号強度などの、WLAN APの稼働状態を知ることができる。さらに、この情報を使用して、WLANを最適化する、たとえば、WLANのネットワークカバーエリアを最適化することができる。
【０１２５】
適宜、WLAN AP情報記録が、WLAN APのMACアドレスを含んでいる場合、さらに、この方法は、以下をさらに含み得る。
【０１２６】
ステップS403:ネットワークデバイスは、WLAN AP情報記録データベースを、WLAN AP情報記録に従って、WLAN AP情報記録に含まれるWLAN APのMACアドレスをサーチ識別子として使用することによって、確立するか、または更新する。
【０１２７】
ネットワークデバイスがWLAN AP情報記録を受信したときに、ネットワークデバイスは、WLAN AP情報記録に含まれるWLAN APのMACアドレスがサーチ識別子であることに気付いて、WLAN AP情報記録データベースをサーチし、同じMACアドレスが見つからない場合、ネットワークデバイスは、MACアドレスをサーチ識別子として使用してWLAN AP情報記録をWLAN AP情報記録データベースに追加し、同じMACアドレスが見つかった場合、ネットワークデバイスは、WLAN AP情報記録をMACアドレスの下で追加する。
【０１２８】
ネットワークデバイスが、Table-1(表1)およびTable-2(表2)に載っているWLAN AP情報記録を受信すると仮定すると、ネットワークデバイスは、Table-3(表3)に示されているWLAN AP情報記録データベースを確立することができる。Table-3(表3)に示されている形式およびデータは、単なる例にすぎず、WLAN AP情報記録データベースに対する制限とならない。別の形式のWLAN AP情報記録データベースも、WLAN AP情報記録に従って特定の実装で構築され得ることは理解され得る。
【０１２９】
確立されたWLAN AP情報記録データベース内にWLAN AP情報記録が比較的多数ある場合、ネットワークデバイスは、確立されたWLAN AP情報記録データベースを、受信されたWLAN AP情報記録に従って、WLAN APのMACアドレスをサーチ識別子として使用することによって更新することができる。適宜、以下の更新ポリシーのうちのどれか1つまたは複数が使用され得る。
【０１３０】
確立されたWLAN AP情報記録データベース内に異なるデプロイヤを有する複数のWLAN APのWLAN AP情報記録について、
通信事業会社をデプロイヤとするWLAN AP情報記録は、優先的に保持され、個人をデプロイヤとするWLAN AP情報記録は、優先的に削除され得る。
【０１３１】
【表３Ａ】
0006651239.tif 000004
【０１３２】
【表３Ｂ】
0006651239.tif 000005
【０１３３】
更新ポリシーは、以下に基づき考慮される。WLAN APの動作の信頼性および安定性は、WLAN APのデプロイヤにより異なる。一般的に、通信事業会社によってデプロイされるWLAN APの信頼性および安定性は最高であり、個人によってデプロイされるWLAN APの信頼性および安定性は最低であり、企業または学校によってデプロイされるWLAN APの信頼性および安定性は、この両極端の間にある。したがって、デプロイヤが異なるWLAN AP情報記録に、異なる有効期間が割り当てられ得る。通信事業会社をデプロイヤとするWLAN AP情報記録の有効期間は、最長であり、たとえば、有効期間は2年間であり、企業または学校をデプロイヤとするWLAN AP情報記録の有効期間は、中間であり、たとえば、有効期間は6カ月間であり、個人をデプロイヤとするWLAN AP情報記録の有効期間は、最短であり、たとえば、有効期間は1カ月である。
【０１３４】
確立されたWLAN AP情報記録データベース内の同じWLAN APのWLAN AP情報記録について、
最高の受信信号電力を有するWLAN AP情報記録は、優先的に保持され、最低の受信信号電力を有するWLAN AP情報記録は、優先的に削除されるか、または
地理的位置情報が存在するWLAN AP情報記録は、優先的に保持され、地理的位置情報が存在しないWLAN AP情報記録は、優先的に削除されるか、または
WLAN AP情報の最近の収集時間を有するWLAN AP情報記録は、優先的に保持され、WLAN AP情報の最も古い収集時間を有するWLAN AP情報記録は、優先的に削除される。
【０１３５】
最近の収集時間を有するWLAN AP情報記録は、WLAN AP情報記録の収集時間が更新ポリシーを適用するための時間に最も近いこと、すなわち、WLAN AP情報記録は、WLAN APの最新のWLAN AP情報記録であることを示し、最も古い収集時間を有するWLAN AP情報記録は、WLAN AP情報記録の収集時間が更新ポリシーを適用するための時間から最も遠いこと、すなわち、WLAN AP情報記録は、WLAN APの最も古いWLAN AP情報記録であることを示す。
【０１３６】
最高の受信信号電力を有する、地理的情報を有する、または最近の収集時間を有するWLAN AP情報記録は、他のWLAN AP情報記録に比べて有用性の高い基準をもたらす。たとえば、比較的高い受信信号電力は、WLAN AP情報記録を収集し、報告するUEと、WLAN APとの間の距離が最短であることを示し、WLAN APの地理的位置情報は、UEの地理的位置情報を使用することによってより正確に推定され得る。
【０１３７】
適宜、ネットワークデバイスが、受信されたWLAN AP情報記録に従ってWLAN AP情報記録データベースを更新するときに、またWLAN AP情報記録が、UEの地理的位置情報を含まない場合に、この方法は、さらに以下を含み得る。
【０１３８】
ステップS404:ネットワークデバイスは、確立されているWLAN AP情報記録データベースに従ってUEの地理的位置情報を決定し、確立されているWLAN AP情報記録データベースは、少なくとも1つのWLAN AP情報記録を含む。
【０１３９】
適宜、UEの地理的位置情報を含まないWLAN AP情報記録は、第1のWLAN AP情報記録として記録され、UEは、第1のUEであり、ネットワークデバイスによって、確立されているWLAN AP情報記録データベースに従ってUEの地理的位置情報を決定するステップは、
ネットワークデバイスによって第2のWLAN AP情報記録に対する確立されているWLAN AP情報記録データベースを、第1のWLAN AP情報記録に含まれるWLAN APのMACアドレスをサーチ識別子として使用することによって、サーチするステップであって、第2のWLAN AP情報記録は、MACアドレスを含み、また第2のUEの地理的位置情報を含む、ステップと、第2のWLAN AP情報記録が、確立されているWLAN AP情報記録データベース内に存在している場合に、ネットワークデバイスによって、第2のWLAN AP情報記録に含まれる第2のUEの地理的位置情報を第1のUEの地理的位置情報として決定するステップとを含み得る。
【０１４０】
適宜、複数の第2のWLAN AP情報記録が存在する場合、ネットワークデバイスは、複数の第2のWLAN AP情報記録のうちから最高の受信信号電力を有する第2のWLAN AP情報記録を選択し、最高の受信信号電力を有する第2のWLAN AP情報記録に含まれる第2のUEの地理的位置情報を第1のUEの地理的位置情報として決定する。
【０１４１】
オプションの技術的解決策において、ネットワークデバイスは、確立されているWLAN AP情報記録データベースに従ってUEの地理的位置情報を決定することができる。WLAN APのカバーエリアは、一般的に、10から20メートルにすぎないので、UEの地理的位置情報を決定するための技術的解決策の測位精度は、5から20メートルに達する可能性があり、これらの解決策は、UEが屋内の場所に配置される状況にそのまま適用可能であり、全地球的航法衛星システムGNSSの測位解決策は、ほとんどの場合に屋外の状況にしか適用可能でないという制限を解消することができる。
【０１４２】
ネットワークデバイスが、第1のWLAN AP情報記録を受信するときにMDT測定結果も受信する場合、またMDT測定結果が、MDT測定を通じて第1のUEによって取得される場合に、この方法は、さらに以下を含み得る。
【０１４３】
ステップS405:ネットワークデバイスは、MDT測定結果を第1のUEの地理的位置情報に関連付け、第1のUEの地理的位置情報は、確立されているWLAN AP情報記録データベースに従ってネットワークデバイスによって決定される。
【０１４４】
オプションの技術的解決策を使用することによって、MDT測定結果は、確立されているWLAN AP情報記録データベースに従って決定されたUEの地理的位置情報に関連付けられ、モバイル通信ネットワークの最適化が実行され得る、たとえば、モバイル通信ネットワークのネットワークカバーエリアが最適化される。それに加えて、モバイル通信ネットワークとワイヤレスローカルエリアネットワークとの間のコンバージェンスおよびインターワークキングは、WLAN AP情報記録およびMDT測定結果に基づき促進され、たとえば、モバイル通信ネットワークおよびワイヤレスローカルエリアネットワークのネットワークカバーエリアが完全に考慮される。
【０１４５】
図5を参照すると、本発明の一実施形態により実現されるユーザ機器UE50は、受信ユニット520と、送信ユニット560と、受信ユニット520および送信ユニット560に別々に接続する収集ユニット540とを備える。
【０１４６】
受信ユニット520は、基地局から送信されたWLAN AP要求情報を受信するように構成され、WLAN AP要求情報は、ドライブテストの最小化MDT測定構成プロセスにおいてネットワークデバイスから基地局に送信され、WLAN AP要求情報は、UEに、WLAN AP情報を報告するよう要求するために使用される。
【０１４７】
収集ユニット540は、WLAN AP要求情報に従ってWLAN AP情報を収集するように構成される。
【０１４８】
送信ユニット560は、WLAN AP情報を基地局に送信し、これにより、基地局がWLAN AP情報をネットワークデバイスに送信するように構成される。
【０１４９】
図5に示されている実施形態で実現されるユーザ機器UE50は、図1、図3、または図4に示されている実施形態におけるUEであってよい。前述の方法実施形態は、ユーザ機器UE50を使用することによって実装され得る。関係する内容について、前述の方法実施形態の説明が参照され、したがって、ここで再びさらなる詳細を述べることはしない。図5に示されている実施形態で実現されるユーザ機器は、モバイル通信ネットワークのアーキテクチャに基づき、MDT測定構成プロセスを使用することによって、WLAN AP情報を収集し、報告することができる。このようにして、WLAN AP情報は、簡便に、正確に、確実に収集され得る。
【０１５０】
適宜、収集ユニット540がWLAN AP要求情報に従ってWLAN AP情報を収集するように構成されることは、以下を含み得る。
【０１５１】
収集ユニット540は、WLAN AP要求情報に従ってWLANサーチを実行し、サーチされたWLAN APのうちの特定のWLAN APに関する情報を記録するように構成され、特定のWLAN APは、特定のデプロイヤを有するWLAN APまたは特定のサービスセット識別子SSIDを有するWLAN APを含む。
【０１５２】
適宜、収集ユニット540は、WLAN AP情報を収集するときにUEのステータス情報を記録し、WLAN AP情報記録を取得するようにさらに構成され、WLAN AP情報記録は、UEによって収集されたWLAN AP情報、およびWLAN AP情報を収集するときにUEによって記録されたUEのステータス情報を含み、送信ユニット560が基地局にWLAN AP情報を送信するように構成されることは、以下を含み得る。送信ユニット560は、WLAN AP情報記録を基地局に送信するように構成される。
【０１５３】
適宜、受信ユニット520が基地局から送信されたWLAN AP要求情報を受信するように構成されることは、以下を含み得る。受信ユニット520は、基地局から送信された記録型測定構成メッセージを受信するように構成され、記録型測定構成メッセージは、WLAN AP要求情報を含み、送信ユニット560が基地局にWLAN AP情報記録を送信するように構成されることは、以下を含む。送信ユニット560は、MDTログを基地局に送信するように構成され、MDTログは、WLAN AP情報記録を含む。MDTログを基地局に送信する前に送信ユニット560がMDTログ利用可能メッセージを基地局に送信するように構成され、受信ユニット520は、送信ユニット560がMDTログを基地局に送信する前に基地局から送信されたMDTログ要求メッセージを受信するように構成される。
【０１５４】
適宜、受信ユニット520が基地局から送信されたWLAN AP要求情報を受信するように構成されることは、以下を含み得る。受信ユニット520は、基地局から送信された無線リソース制御RRC接続再構成メッセージを受信するように構成され、RRC接続再構成メッセージは、WLAN AP要求情報を含み、送信ユニット560が基地局にWLAN AP情報記録を送信するように構成されることは、以下を含み得る。送信ユニット560は、測定報告を基地局に送信するように構成され、測定報告は、WLAN AP情報記録を含む。
【０１５５】
オプションの技術的解決策で実現されるユーザ機器UEを使用することによって、モバイル通信ネットワークのアーキテクチャに基づき、WLAN AP情報を収集するUEのステータス情報も、WLAN AP情報が収集されるときに取得され得る。収集されたWLAN AP情報、UEがWLAN AP信号を受信するための受信信号電力、UEの地理的位置情報、またはUEがWLAN AP情報を収集するための収集時間の組み合わせに従って、ネットワークカバーエリアおよび信号強度などの、WLAN APの稼働状態を知ることができる。さらに、この情報を使用して、WLANを最適化する、たとえば、WLANのネットワークカバーエリアを最適化することができる。
【０１５６】
図6を参照すると、本発明の一実施形態によって実現される基地局60は、
ドライブテストの最小化MDT測定構成プロセスにおいてネットワークデバイスから送信されたWLAN AP要求情報を受信するように構成された受信ユニット620であって、WLAN AP要求情報は、ユーザ機器UEに、WLAN AP情報を報告するよう要求するために使用される、受信ユニット620と、
WLAN AP要求情報をUEに送信するように構成された送信ユニット640とを備える。
【０１５７】
受信ユニット620は、UEから送信されたWLAN AP情報を受信するように構成されるものとしてよく、WLAN AP情報はWLAN AP要求情報に従ってUEによって収集される。
【０１５８】
送信ユニット640は、WLAN AP情報をネットワークデバイスに送信するように構成される。
【０１５９】
図6に示されている実施形態で実現される基地局60は、図1、図3、または図4に示されている実施形態における基地局であってよい。前述の方法実施形態は、基地局60を使用することによって実装され得る。関係する内容について、前述の方法実施形態の説明が参照され、したがって、ここで再びさらなる詳細を述べることはしない。図6に示されている実施形態で実現される基地局の助けを借りて、UEは、モバイル通信ネットワークのアーキテクチャに基づき、MDT測定構成プロセスを使用することによって、WLAN AP情報を収集し、報告することができる。このようにして、WLAN AP情報は、簡便に、正確に、確実に収集され得る。
【０１６０】
適宜、受信ユニット620がMDT測定構成プロセスにおいてネットワークデバイスから送信されたWLAN AP要求情報を受信するように構成されることは、以下を含む。受信ユニット620は、ネットワークデバイスから送信されたMDT測定有効化メッセージを受信するように構成され、MDT測定有効化メッセージは、WLAN AP要求情報を含む。
【０１６１】
適宜、MDT測定有効化メッセージは、MDT測定指示情報をさらに含み、MDT測定指示情報は、基地局60に、記録型測定構成メッセージまたは無線リソース制御RRC接続再構成メッセージをUEに送信することを命令するために使用され、記録型測定構成メッセージまたはRRC接続再構成メッセージは、WLAN AP要求情報を含む。
【０１６２】
適宜、受信ユニット620がUEから送信されたWLAN AP情報を受信するように構成されることは、以下を含む。受信ユニット620は、UEから送信されたWLAN AP情報記録を受信するように構成され、WLAN AP情報記録は、UEによって収集されたWLAN AP情報、およびWLAN AP情報を収集するときにUEによって記録されたUEのステータス情報を含み、送信ユニット640がネットワークデバイスにWLAN AP情報を送信するように構成されることは、以下を含み得る。送信ユニット640は、WLAN AP情報記憶をネットワークデバイスに送信するように構成される。
【０１６３】
適宜、送信ユニット640がUEにWLAN AP要求情報を送信するように構成されることは、以下を含む。送信ユニット640は、MDT測定指示情報に従って、記録型測定構成メッセージをUEに送信するように構成され、受信ユニット620がUEから送信されたWLAN AP情報記録を受信するように構成されることは、以下を含み得る。受信ユニット620は、UEから送信されたMDTログを受信するように構成され、MDTログは、WLAN AP情報記録を含み、送信ユニット640がネットワークデバイスにWLAN AP情報記録を送信するように構成されることは、以下を含み得る。送信ユニット640は、MDTログをネットワークデバイスに送信するように構成される。
【０１６４】
適宜、送信ユニット640がUEにWLAN AP要求情報を送信するように構成されることは、以下を含む。送信ユニット640は、MDT測定指示情報に従って、RRC接続再構成メッセージをUEに送信するように構成され、受信ユニット620がUEから送信されたWLAN AP情報記録を受信するように構成されることは、以下を含み得る。受信ユニット620は、UEから送信された測定報告を受信するように構成され、測定報告は、WLAN AP情報記録を含み、送信ユニット640がネットワークデバイスにWLAN AP情報記録を送信するように構成されることは、以下を含み得る。送信ユニット640は、測定報告をネットワークデバイスに送信するように構成される。
【０１６５】
オプションの技術的解決策で実現される基地局を使用することによって、モバイル通信ネットワークのアーキテクチャに基づき、WLAN AP情報を収集するUEのステータス情報も、WLAN AP情報が収集されるときに取得され得る。収集されたWLAN AP情報、UEがWLAN AP信号を受信するための受信信号電力、UEの地理的位置情報、またはUEがWLAN AP情報を収集するための収集時間の組み合わせに従って、ネットワークカバーエリアおよび信号強度などの、WLAN APの稼働状態を知ることができる。さらに、この情報を使用して、WLANを最適化する、たとえば、WLANのネットワークカバーエリアを最適化することができる。
【０１６６】
図7を参照すると、本発明の一実施形態によって実現されるネットワークデバイス70は、
ドライブテストの最小化MDT測定構成プロセスにおいて基地局にWLAN AP要求情報を送信するように構成された送信ユニット710であって、WLAN AP要求情報は、ユーザ機器UEに、WLAN AP情報を報告するよう要求するために使用される、送信ユニット710と、
【０１６７】
基地局から送信されたWLAN AP情報を受信するように構成された受信ユニット720であって、WLAN AP情報は、UEから基地局によって受信され、WLAN AP情報は、基地局から送信されたWLAN AP要求情報が受信された後、WLAN AP要求情報に従ってUEによって収集される、受信ユニット720とを備えている。
【０１６８】
図7に示されているネットワークデバイス70は、図1、図3、または図4に示されている実施形態におけるネットワークデバイスであってよい。前述の方法実施形態は、ネットワークデバイス70を使用することによって実装され得る。関係する内容について、前述の方法実施形態の説明が参照され、したがって、ここで再びさらなる詳細を述べることはしない。図7に示されている実施形態で実現されるネットワークデバイスの助けを借りて、UEは、モバイル通信ネットワークのアーキテクチャに基づき、MDT測定構成プロセスを使用することによって、WLAN AP情報を収集し、報告することができる。このようにして、WLAN AP情報は、簡便に、正確に、確実に収集され得る。
【０１６９】
適宜、送信ユニット710がMDT測定構成プロセスにおいて基地局にWLAN AP要求情報を送信するように構成されることは、以下を含み得る。送信ユニット710は、MDT測定有効化メッセージを基地局に送信するように構成され、MDT測定有効化メッセージは、WLAN AP要求情報を含む。MDT測定有効化メッセージは、MDT測定指示情報を含むものとしてよく、MDT測定指示情報は、基地局に、記録型測定構成メッセージまたは無線リソース制御RRC接続再構成メッセージをUEに送信することを命令するために使用され、記録型測定構成メッセージまたはRRC接続再構成メッセージは、WLAN AP要求情報を含む。
【０１７０】
適宜、受信ユニット720が基地局から送信されたWLAN AP情報を受信するように構成されることは、以下を含む。受信ユニット720は、基地局から送信されたWLAN AP情報記録を受信するように構成され、WLAN AP情報記録は、UEによって収集されたWLAN AP情報、およびWLAN AP情報を収集するときにUEによって記録されたUEのステータス情報を含む。
【０１７１】
受信ユニット720が基地局から送信されたWLAN AP情報記録を受信するように構成されることは、以下を含み得る。受信ユニット720は、基地局から送信されたMDTログを受信するように構成され、MDTログは、WLAN AP情報記録を含むか、または受信ユニット720は、基地局から送信された測定報告を受信するように構成され、測定報告は、WLAN AP情報記録を含む。
【０１７２】
適宜、ネットワークデバイス70は、ネットワーク管理システムデバイス、モビリティ管理エンティティMME、もしくはサービング汎用パケット無線サービスサポートノードSGSNであるか、またはMDT測定を実行することを基地局に命令することができる別のネットワークデバイスであってもよい。
【０１７３】
オプションの技術的解決策で実現されるネットワークデバイスを使用することによって、モバイル通信ネットワークのアーキテクチャに基づき、WLAN AP情報を収集するUEのステータス情報も、WLAN AP情報が収集されるときに取得され得る。収集されたWLAN AP情報、UEがWLAN AP信号を受信するための受信信号電力、UEの地理的位置情報、またはUEがWLAN AP情報を収集するための収集時間の組み合わせに従って、ネットワークカバーエリアおよび信号強度などの、WLAN APの稼働状態を知ることができる。さらに、この情報を使用して、WLANを最適化する、たとえば、WLANのネットワークカバーエリアを最適化することができる。
【０１７４】
適宜、ネットワークデバイス70は、受信ユニット720に接続している処理ユニット730および処理ユニット730に接続しているメモリユニット740をさらに備えることができる。
【０１７５】
処理ユニット730は、WLAN AP情報記録が、WLAN APのMACアドレスを含んでいるときに、MACアドレスをサーチ識別子として使用することによってWLAN AP情報記録データベースを確立または更新するように構成される。
【０１７６】
メモリユニット740は、WLAN AP情報記録データベースを格納するように構成される。
【０１７７】
適宜、処理ユニット730は、WLAN AP情報記録がUEの地理的位置情報を含まない場合に、WLAN AP情報記録データベースを更新するときに確立されているWLAN AP情報記録データベースに従ってUEの地理的位置情報を決定するようにさらに構成され、確立されているWLAN AP情報記録データベースは、少なくとも1つのWLAN AP情報記録を含む。
【０１７８】
適宜、UEの地理的位置情報を含まないWLAN AP情報記録は、第1のWLAN AP情報記録として記録され、UEは、第1のUEであり、処理ユニット730が確立されているWLAN AP情報記録データベースに従ってUEの地理的位置情報を決定するようにさらに構成されることは、以下をさらに含み得る。処理ユニット730は、第2のWLAN AP情報記録に対する確立されているWLAN AP情報記録データベースを、第1のWLAN AP情報記録に含まれるWLAN APのMACアドレスをサーチ識別子として使用することによって、サーチし、第2のWLAN AP情報記録は、MACアドレスを含み、また第2のUEの地理的位置情報を含み、第2のWLAN AP情報記録が、確立されているWLAN AP情報記録データベース内に存在している場合に、第2のWLAN AP情報記録に含まれる第2のUEの地理的位置情報を第1のUEの地理的位置情報として決定するようにさらに構成される。
【０１７９】
オプションの技術的解決策で実現されるネットワークデバイスを使用することによって、UEの地理的位置情報は、確立されているWLAN AP情報記録データベースに従って決定され得る。WLAN APのカバーエリアは、一般的に、10から20メートルにすぎないので、UEの地理的位置情報を決定するための技術的解決策の測位精度は、5から20メートルに達する可能性があり、この解決策は、UEが屋内の場所に配置される状況にそのまま適用可能であり、全地球的航法衛星システムGNSSの測位解決策は、ほとんどの場合に屋外の状況にしか適用可能でないという制限を解消することができる。
【０１８０】
適宜、処理モジュール730は、受信ユニット720が第1のWLAN AP情報記録を受信するときに受信ユニット720がMDT測定結果も受信する場合、MDT測定結果を第1のUEの地理的位置情報に関連付け、第1のUEの地理的位置情報は、確立されているWLAN AP情報記録データベースに従って決定され、MDT測定結果は、MDT測定を通じて第1のUEによって取得される、ようにさらに構成される。
【０１８１】
オプションの技術的解決策で実現されるネットワークデバイスを使用することによって、MDT測定結果は、確立されているWLAN AP情報記録データベースに従って決定されたUEの地理的位置情報に関連付けられ、モバイル通信ネットワークの最適化が実行され得る、たとえば、モバイル通信ネットワークのネットワークカバーエリアが最適化される。それに加えて、モバイル通信ネットワークとワイヤレスローカルエリアネットワークとの間のコンバージェンスおよびインターワークキングは、WLAN AP情報記録およびMDT測定結果に基づき促進され、たとえば、モバイル通信ネットワークおよびワイヤレスローカルエリアネットワークのネットワークカバーエリアが完全に考慮される。
【０１８２】
図8を参照すると、本発明の一実施形態によって実現されるユーザ機器UE80は、受信機820と、プロセッサ840と、メモリ860と、送信機880とを備える。
【０１８３】
受信機820はプロセッサ840に接続し、基地局から送信されたWLAN AP要求情報を受信するように構成され、WLAN AP要求情報は、ドライブテストの最小化MDT測定構成プロセスにおいてネットワークデバイスから基地局に送信され、WLAN AP要求情報は、UEに、WLAN AP情報を報告するよう要求するために使用される。
【０１８４】
プロセッサ840は、受信機820、メモリ860、および送信機880に別々に接続し、WLAN AP要求情報に従って、受信機820、メモリ860、および送信機880を制御してWLAN AP情報を収集し、報告するように構成される。
【０１８５】
適宜、UE80は、パッシブスキャン(passive scanning)方式を使用してWLAN AP情報を取得することができ、たとえば、プロセッサ840は、WLAN AP要求情報に従って、受信機820に、WLAN APから定期的に送信されるブロードキャストビーコンを受信することを命令し、ブロードキャストビーコンからUEの周りに分散されているWLAN APに関する情報を取得することができるか、または、UE80は、アクティブスキャン(active scanning)方式を使用してWLAN AP情報を取得することもでき、たとえば、プロセッサ840は、WLAN AP要求情報に従って、送信機880に、プローブ要求(probe request)をブロードキャストすることを命令し、受信機820によって受信されたプローブ応答に従って、UEの周りに分散されているWLAN APに関する情報を取得することができる。
【０１８６】
メモリ860は、受信機820、送信機840、およびプロセッサ840に接続し、収集されたWLAN AP情報を格納するように構成される。
【０１８７】
送信機880は、プロセッサ840およびメモリ860に接続し、WLAN AP情報を基地局に送信するように構成される。
【０１８８】
図8に示されている実施形態で実現されるユーザ機器UE80は、図1、図3、または図4に示されている実施形態におけるUEであってよい。前述の方法実施形態は、ユーザ機器UE80を使用することによって実装され得る。関係する内容について、前述の方法実施形態の説明が参照され、したがって、ここで再びさらなる詳細を述べることはしない。図8に示されている実施形態で実現されるユーザ機器は、モバイル通信ネットワークのアーキテクチャに基づき、MDT測定構成プロセスを使用することによって、WLAN AP情報を収集し、報告することができる。このようにして、WLAN AP情報は、簡便に、正確に、確実に収集され得る。
【０１８９】
適宜、プロセッサ840が、WLAN AP要求情報に従って、受信機820、メモリ860、および送信機880を制御してWLAN AP情報を収集し、報告するように構成されることは、以下を含み得る。プロセッサ840は、取得されたWLAN AP情報内の特定のWLAN APに関する情報を記録するように構成され、特定のWLAN APは、特定のデプロイヤを有するWLAN APまたは特定のサービスセット識別子SSIDを有するWLAN APを含む。
【０１９０】
適宜、プロセッサ840は、WLAN AP情報を収集するときにUEのステータス情報を記録し、WLAN AP情報記録を取得するようにさらに構成されるものとしてよく、WLAN AP情報記録は、UEによって収集されたWLAN AP情報、およびWLAN AP情報を収集するときにUEによって記録されたUEのステータス情報を含み、送信機880が基地局にWLAN AP情報を送信するように構成されることは、以下を含み得る。送信機880は、WLAN AP情報記録を基地局に送信するように構成される。
【０１９１】
適宜、受信機820が基地局から送信されたWLAN AP要求情報を受信するように構成されることは、以下を含み得る。受信機820は、基地局から送信された記録型測定構成メッセージを受信するように構成され、記録型測定構成メッセージは、WLAN AP要求情報を含み、送信機880が基地局にWLAN AP情報記録を送信するように構成されることは、以下を含み得る。送信機880は、MDTログを基地局に送信するように構成され、MDTログは、WLAN AP情報記録を含む。送信機880は、MDTログを基地局に送信する前にMDTログ利用可能メッセージを基地局に送信するように構成され、受信機820は、送信機880がMDTログを基地局に送信する前に基地局から送信されたMDTログ要求メッセージを受信するように構成される。
【０１９２】
適宜、受信機820が基地局から送信されたWLAN AP要求情報を受信するように構成されることは、以下を含み得る。受信機820は、基地局から送信された無線リソース制御RRC接続再構成メッセージを受信するように構成され、RRC接続再構成メッセージは、WLAN AP要求情報を含み、送信機880が基地局にWLAN AP情報記録を送信するように構成されることは、以下を含み得る。送信機880は、測定報告を基地局に送信するように構成され、測定報告は、WLAN AP情報記録を含む。
【０１９３】
オプションの技術的解決策で実現されるユーザ機器UEを使用することによって、モバイル通信ネットワークのアーキテクチャに基づき、WLAN AP情報を収集するUEのステータス情報も、WLAN AP情報が収集されるときに取得され得る。収集されたWLAN AP情報、UEがWLAN AP信号を受信するための受信信号電力、UEの地理的位置情報、またはUEがWLAN AP情報を収集するための収集時間の組み合わせに従って、ネットワークカバーエリアおよび信号強度などの、WLAN APの稼働状態を知ることができる。さらに、この情報を使用して、WLANを最適化する、たとえば、WLANのネットワークカバーエリアを最適化することができる。
【０１９４】
図9を参照すると、本発明の一実施形態によって実現される基地局90は、
ドライブテストの最小化MDT測定構成プロセスにおいてネットワークデバイスから送信されたWLAN AP要求情報を受信するように構成された受信機920であって、WLAN AP要求情報は、ユーザ機器UEに、WLAN AP情報を報告するよう要求するために使用される、受信機920と、
WLAN AP要求情報をUEに送信するように構成された送信機940とを備える。
【０１９５】
受信機920は、UEから送信されたWLAN AP情報を受信するように構成され、WLAN AP情報はWLAN AP要求情報に従ってUEによって収集される。
【０１９６】
送信機940は、WLAN AP情報をネットワークデバイスに送信するように構成される。
【０１９７】
図9に示されている実施形態で実現される基地局90は、図1、図3、または図4に示されている実施形態における基地局であってよい。前述の方法実施形態は、基地局90を使用することによって実装され得る。関係する内容について、前述の方法実施形態の説明が参照され、したがって、ここで再びさらなる詳細を述べることはしない。図9に示されている実施形態で実現される基地局の助けを借りて、UEは、モバイル通信ネットワークのアーキテクチャに基づき、MDT測定構成プロセスを使用することによって、WLAN AP情報を収集し、報告することができる。このようにして、WLAN AP情報は、簡便に、正確に、確実に収集され得る。
【０１９８】
適宜、受信機920がMDT測定構成プロセスにおいてネットワークデバイスから送信されたWLAN AP要求情報を受信するように構成されることは、以下を含み得る。受信機920は、ネットワークデバイスから送信されたMDT測定有効化メッセージを受信するように構成され、MDT測定有効化メッセージは、WLAN AP要求情報を含む。
【０１９９】
適宜、MDT測定有効化メッセージは、MDT測定指示情報を含み、MDT測定指示情報は、基地局60に、記録型測定構成メッセージまたは無線リソース制御RRC接続再構成メッセージをUEに送信することを命令するために使用され、記録型測定構成メッセージまたはRRC接続再構成メッセージは、WLAN AP要求情報を含む。
【０２００】
適宜、受信機920がUEから送信されたWLAN AP情報を受信するように構成されることは、以下を含む。受信機920は、UEから送信されたWLAN AP情報記録を受信するように構成され、WLAN AP情報記録は、UEによって収集されたWLAN AP情報、およびWLAN AP情報を収集するときにUEによって記録されたUEのステータス情報を含み、送信機940がネットワークデバイスにWLAN AP情報を送信するように構成されることは、以下を含み得る。送信機940は、WLAN AP情報記録をネットワークデバイスに送信するように構成される。
【０２０１】
適宜、送信機940がUEにWLAN AP要求情報を送信するように構成されることは、以下を含み得る。送信機940は、MDT測定指示情報に従って、記録型測定構成メッセージをUEに送信するように構成され、受信機920がUEから送信されたWLAN AP情報記録を受信するように構成されることは、以下を含み得る。受信機920は、UEから送信されたMDTログを受信するように構成され、MDTログは、WLAN AP情報記録を含み、送信機940がネットワークデバイスにWLAN AP情報記録を送信するように構成されることは、以下を含み得る。送信機940は、MDTログをネットワークデバイスに送信するように構成される。
【０２０２】
適宜、送信機940がUEにWLAN AP要求情報を送信するように構成されることは、以下を含み得る。送信機940は、MDT測定指示情報に従って、RRC接続再構成メッセージをUEに送信するように構成され、受信機920がUEから送信されたWLAN AP情報記録を受信するように構成されることは、以下を含む。受信機920は、UEから送信された測定報告を受信するように構成され、測定報告は、WLAN AP情報記録を含み、送信機940がネットワークデバイスにWLAN AP情報記録を送信するように構成されることは、以下を含み得る。送信機940は、測定報告をネットワークデバイスに送信するように構成される。
【０２０３】
オプションの技術的解決策で実現される基地局を使用することによって、モバイル通信ネットワークのアーキテクチャに基づき、WLAN AP情報を収集するUEのステータス情報も、WLAN AP情報が収集されるときに取得され得る。収集されたWLAN AP情報、UEがWLAN AP信号を受信するための受信信号電力、UEの地理的位置情報、またはUEがWLAN AP情報を収集するための収集時間の組み合わせに従って、ネットワークカバーエリアおよび信号強度などの、WLAN APの稼働状態を知ることができる。さらに、この情報を使用して、WLANを最適化する、たとえば、WLANのネットワークカバーエリアを最適化することができる。
【０２０４】
図10を参照すると、本発明の一実施形態によって実現されるネットワークデバイス100は、
MDT測定構成プロセスにおいて基地局にWLAN AP要求情報を送信するように構成された送信機1010であって、WLAN AP要求情報は、ユーザ機器UEに、WLAN AP情報を報告するよう要求するために使用される、送信機1010と、
基地局から送信されたWLAN AP情報を受信するように構成された受信機1020であって、WLAN AP情報は、UEから基地局によって受信され、WLAN AP情報は、基地局から送信されたWLAN AP要求情報が受信された後、WLAN AP要求情報に従ってUEによって収集される、受信機1020とを備えている。
【０２０５】
図10に示されている実施形態で実現されるネットワークデバイス100は、図1、図3、または図4に示されている実施形態におけるネットワークデバイスであってよい。前述の方法実施形態は、ネットワークデバイス100を使用することによって実装され得る。関係する内容について、前述の方法実施形態の説明が参照され、したがって、ここで再びさらなる詳細を述べることはしない。図10に示されている実施形態で実現されるネットワークデバイスの助けを借りて、UEは、モバイル通信ネットワークのアーキテクチャに基づき、MDT測定構成プロセスを使用することによって、WLAN AP情報を収集し、報告することができる。このようにして、WLAN AP情報は、簡便に、正確に、確実に収集され得る。
【０２０６】
適宜、送信機1010がMDT測定構成プロセスにおいて基地局にWLAN AP要求情報を送信するように構成されることは、以下を含み得る。送信機1010は、MDT測定有効化メッセージを基地局に送信するように構成され、MDT測定有効化メッセージは、WLAN AP要求情報を含む。MDT測定有効化メッセージは、MDT測定指示情報をさらに含むものとしてよく、MDT測定指示情報は、基地局に、記録型測定構成メッセージまたは無線リソース制御RRC接続再構成メッセージをUEに送信することを命令するために使用され、記録型測定構成メッセージまたはRRC接続再構成メッセージは、WLAN AP要求情報を含む。
【０２０７】
適宜、受信機1020が基地局から送信されたWLAN AP情報を受信するように構成されることは、以下を含む。受信機1020は、基地局から送信されたWLAN AP情報記録を受信するように構成され、WLAN AP情報記録は、UEによって収集されたWLAN AP情報、およびWLAN AP情報を収集するときにUEによって記録されたUEのステータス情報を含む。
【０２０８】
受信機1020が基地局から送信されたWLAN AP情報記録を受信するように構成されることは、以下を含み得る。受信機1020は、基地局から送信されたMDTログを受信するように構成され、MDTログは、WLAN AP情報記録を含むか、または受信機1020は、基地局から送信された測定報告を受信するように構成され、測定報告は、WLAN AP情報記録を含む。
【０２０９】
適宜、ネットワークデバイス100は、ネットワーク管理システムデバイス、モビリティ管理エンティティMME、もしくはサービング汎用パケット無線サービスサポートノードSGSNであるか、またはMDT測定を実行することを基地局に命令することができる別のネットワークデバイスであってもよい。
【０２１０】
オプションの技術的解決策で実現されるネットワークデバイスを使用することによって、モバイル通信ネットワークのアーキテクチャに基づき、WLAN AP情報を収集するUEのステータス情報も、WLAN AP情報が収集されるときに取得され得る。収集されたWLAN AP情報、UEがWLAN AP信号を受信するための受信信号電力、UEの地理的位置情報、またはUEがWLAN AP情報を収集するための収集時間の組み合わせに従って、ネットワークカバーエリアおよび信号強度などの、WLAN APの稼働状態を知ることができる。さらに、この情報を使用して、WLANを最適化する、たとえば、WLANのネットワークカバーエリアを最適化することができる。
【０２１１】
適宜、ネットワークデバイス100は、受信機1020に接続しているプロセッサ1030およびプロセッサ1030に接続しているメモリ1040をさらに備えることができる。
【０２１２】
プロセッサ1030は、WLAN AP情報記録データベースを、WLAN AP情報記録に従って、WLAN AP情報記録に含まれるWLAN APのMACアドレスをサーチ識別子として使用することによって、確立するか、または更新するように構成される。
【０２１３】
メモリ1040は、WLAN AP情報記録データベースを格納するように構成される。
【０２１４】
適宜、プロセッサ1030は、WLAN AP情報記録がUEの地理的位置情報を含まない場合に、WLAN AP情報記録データベースを更新するときに確立されているWLAN AP情報記録データベースに従ってUEの地理的位置情報を決定するようにさらに構成され、確立されているWLAN AP情報記録データベースは、少なくとも1つのWLAN AP情報記録を含む。
【０２１５】
プロセッサ1030が確立されているWLAN AP情報記録データベースに従ってUEの地理的位置情報を決定するようにさらに構成されることは、以下をさらに含み得る。プロセッサ1030は、第2のWLAN AP情報記録に対する確立されているWLAN AP情報記録データベースを、WLAN AP情報記録に含まれるWLAN APのMACアドレスをサーチ識別子として使用することによって、サーチし、第2のWLAN AP情報記録は、MACアドレスを含み、また第2のUEの地理的位置情報を含み、第2のWLAN AP情報記録が、WLAN AP情報記録データベース内に存在している場合に、第2のWLAN AP情報記録に含まれる第2のUEの地理的位置情報をUEの地理的位置情報として決定するように構成される。
【０２１６】
オプションの技術的解決策で実現されるネットワークデバイスを使用することによって、UEの地理的位置情報は、確立されているWLAN AP情報記録データベースに従って決定され得る。WLAN APのカバーエリアは、一般的に、10から20メートルにすぎないので、UEの地理的位置情報を決定するための技術的解決策の測位精度は、5から20メートルに達する可能性があり、これらの解決策は、UEが屋内の場所に配置される状況にそのまま適用可能であり、全地球的航法衛星システムGNSSの測位解決策は、ほとんどの場合に屋外の状況にしか適用可能でないという制限を解消することができる。
【０２１７】
適宜、プロセッサ1030は、受信機1020がWLAN AP情報記録を受信するときに受信機1020がMDT測定結果も受信する場合、MDT測定結果をUEの地理的位置情報に関連付け、UEの地理的位置情報は、確立されているWLAN AP情報記録データベースに従って決定され、MDT測定結果は、MDT測定を通じてUEによって取得される、ようにさらに構成される。
【０２１８】
オプションの技術的解決策で実現されるネットワークデバイスを使用することによって、MDT測定結果は、確立されているWLAN AP情報記録データベースに従って決定されたUEの地理的位置情報に関連付けられ、モバイル通信ネットワークの最適化が実行され得る、たとえば、モバイル通信ネットワークのネットワークカバーエリアが最適化される。それに加えて、モバイル通信ネットワークとワイヤレスローカルエリアネットワークとの間のコンバージェンスおよびインターワークキングは、WLAN AP情報記録およびMDT測定結果に基づき促進され、たとえば、モバイル通信ネットワークおよびワイヤレスローカルエリアネットワークのネットワークカバーエリアが完全に考慮される。
【０２１９】
図11を参照すると、本発明の一実施形態によって実現される通信システム110は、図5に示されている実施形態におけるユーザ機器UE50、図6に示されている実施形態における基地局60、および図7に示されている実施形態におけるネットワークデバイス70を備える。
【０２２０】
ネットワークデバイス70は、ドライブテストの最小化MDT測定構成プロセスにおいて基地局60にWLAN AP要求情報を送信するように構成され、WLAN AP要求情報は、UE50に、WLAN AP情報を報告するよう要求するために使用される。
【０２２１】
基地局60は、WLAN AP要求情報をUE50に送信するように構成される。
【０２２２】
UE50は、WLAN AP要求情報に従ってWLAN AP情報を収集し、WLAN AP情報を基地局60に報告するように構成される。
【０２２３】
基地局60は、UEから送信されたWLAN AP情報を受信し、WLAN AP情報をネットワークデバイス70に送信するように構成される。
【０２２４】
ネットワークデバイス70は、基地局から送信されたWLAN AP情報を受信するように構成される。
【０２２５】
図12を参照すると、本発明の一実施形態によって実現される通信システム120は、図8に示されている実施形態におけるユーザ機器UE80、図9に示されている実施形態における基地局90、および図10に示されている実施形態におけるネットワークデバイス100を備える。
【０２２６】
ネットワークデバイス100は、ドライブテストの最小化MDT測定構成プロセスにおいて基地局90にWLAN AP要求情報を送信するように構成され、WLAN AP要求情報は、UE80に、WLAN AP情報を報告するよう要求するために使用される。
【０２２７】
基地局90は、WLAN AP要求情報をUE80に送信するように構成される。
【０２２８】
UE80は、WLAN AP要求情報に従ってWLAN AP情報を収集し、WLAN AP情報を基地局90に報告するように構成される。
【０２２９】
基地局90は、UEから送信されたWLAN AP情報を受信し、WLAN AP情報をネットワークデバイス100に送信するように構成される。
【０２３０】
ネットワークデバイス100は、基地局から送信されたWLAN AP情報を受信するように構成される。
【０２３１】
図11または図12に示されている実施形態で実現される通信システムにおいて、UEは、モバイル通信ネットワークのアーキテクチャに基づき、MDT測定構成プロセスを使用することによって、WLAN AP情報を収集し、報告することができる。このようにして、WLAN AP情報は、簡便に、正確に、確実に収集され得る。
【０２３２】
当業者であれば、本発明の実施形態において列挙されているさまざまな例示的な論理ブロック(illustrative logic block)およびステップ(step)が、電子ハードウェア、コンピュータソフトウェア、またはこれら2つの組み合わせを使用することによって実装され得ることを理解することができる。ハードウェアおよびソフトウェアの互換性(interchangeability)を明確に示すことを目的として、前述のさまざまな例示的なコンポーネント(illustrative components)の機能、およびステップについて、一般的に説明されている。このような機能がハードウェアを使用することによって実装されるか、またはソフトウェアを使用することによって実装されるかは、特定の応用例とシステム全体の設計要件とに依存する。当業者は、それぞれの特定の用途に対して機能を実装するためにさまざまな方法を使用することができるが、そのような実装は、本発明の実施形態の保護範囲を超えるものと考えられるべきでない。
【０２３３】
本発明の実施形態において説明されているさまざまな例示的な論理ブロック、モジュール、および回路は、汎用プロセッサ、デジタルシグナルプロセッサ、特定用途向け集積回路(ASIC)、フィールドプログラマブルゲートアレイ(FPGA)もしくは他のプログラム可能論理装置、ディスクリートゲートもしくはトランジスタロジック、ディスクリートハードウェアコンポーネント、またはこれらの任意の組み合わせの設計を使用することによって、説明されている機能を実装または動作させることができる。汎用プロセッサは、マイクロプロセッサであってよい。適宜、汎用プロセッサは、従来のプロセッサ、コントローラ、マイクロコントローラ、または状態機械であってもよい。プロセッサは、デジタルシグナルプロセッサとマイクロプロセッサ、複数のマイクロプロセッサ、デジタルシグナルプロセッサコアを備える1つまたは複数のマイクロプロセッサ、または他の類似の構成などの、計算装置の組み合わせによっても実装され得る。
【０２３４】
本発明の実施形態で説明されている方法またはアルゴリズムのステップは、ハードウェア、プロセッサによって実行されるソフトウェアモジュール、またはこれら2つの組み合わせに直接埋め込まれ得る。ソフトウェアモジュールは、RAMメモリ、フラッシュメモリ、ROMメモリ、EPROMメモリ、EEPROMメモリ、レジスタ、ハードディスク、取り外し可能磁気ディスク、光ディスク、または当技術分野の他の形態の記憶媒体に格納され得る。たとえば、記憶媒体は、プロセッサがその記憶媒体から情報を読み出し、その記憶媒体に情報を書き込めるようにプロセッサに接続することができる。適宜、記憶媒体は、プロセッサに一体化することもできる。プロセッサおよび記憶媒体は、ASIC内に配置構成され、またASICは、ユーザ端末内に配置構成され得る。代替的に、プロセッサおよび記憶媒体は、ユーザ端末の異なるコンポーネント内にも配置構成され得る。
【０２３５】
1つまたは複数の例示的な設計において、本発明の実施形態で説明されている機能は、ハードウェア、ソフトウェア、ファームウェア、またはこれらの3つの組み合わせを使用することによって実装され得る。ソフトウェアによって実装される場合、これらの機能は、1つまたは複数の命令もしくはコードの形態でコンピュータ可読媒体に格納されるかまたはコンピュータ可読媒体に伝送され得る。コンピュータ可読媒体は、コンピュータ記憶媒体、およびコンピュータプログラムが一方の場所から別の場所に移動することを可能にする通信媒体を含む。記憶媒体は、汎用または専用コンピュータによってアクセスされ得る利用可能な媒体とすることができる。たとえば、そのようなコンピュータ可読媒体は、限定はしないが、RAM、ROM、EEPROM、光ディスクもしくは別のコンパクトディスクストレージ、ディスクストレージもしくは別の磁気ストレージ装置、またはプログラムコードを有するか、または格納するために使用され得る他の媒体を含むものとしてよく、プログラムコードは、命令もしくはデータ構造の形態をとるか、または汎用もしくは専用コンピュータまたは汎用もしくは専用プロセッサによって読み出せる形態をとる。それに加えて、接続は、コンピュータ可読媒体として適切に定義され得る。たとえば、ソフトウェアが同軸ケーブル、光ファイバーコンピュータ、ツイストペア線、デジタル加入者回線(DSL)を使用することによって、または赤外線、無線、またはマイクロ波などのワイヤレス方式で、ウェブサイト、サーバ、または別のリモートリソースから送信される場合、ソフトウェアは、定義済みのコンピュータ可読媒体に含まれる。ディスク(disk)およびディスク(disc)は、圧縮ディスク、レーザーディスク(登録商標)、光ディスク、DVD、ディスケット、およびブルーレイディスクを含む。ディスク(原文ではdisk)は、一般的に、磁気的手段によってデータをコピーし、ディスク(原文ではdisc)は、一般的に、レーザー手段によってデータを光学的にコピーする。前述の組み合わせも、コンピュータ可読媒体に含まれ得る。
【０２３６】
本発明の本明細書の前述の説明によれば、この分野の技術では、本発明の内容を使用するか、または実装することができる。開示されている内容に基づく修正は、当技術分野では明白なものであるとみなされるものとする。本発明において説明されている基本原理は、本発明の本質および範囲から逸脱することなく他の変更形態に適用することができる。したがって、本発明において開示されている内容は、説明されている実施形態および設計に制限されないが、本発明の原理および開示されている新しい特徴と整合する最大の範囲まで拡大解釈され得る。
【符号の説明】
【０２３７】
50  ユーザ機器UE
60  基地局
70  ネットワークデバイス
80  ユーザ機器UE
90  基地局
100  ネットワークデバイス
110  通信システム
120  通信システム
520  受信ユニット
540  収集ユニット
560  送信ユニット
620  受信ユニット
640  送信ユニット
710  送信ユニット
720  受信ユニット
730  処理ユニット
740  メモリユニット
820  受信機
840  プロセッサ
860  メモリ
880  送信機
920  受信機
940  送信機
1010  送信機
1020  受信機
1030  プロセッサ
1040  メモリ
【図１】
0006651239.tif 000006
【図２】
0006651239.tif 000007
【図３】
0006651239.tif 000008
【図４】
0006651239.tif 000009
【図５】
0006651239.tif 000010
【図６】
0006651239.tif 000011
【図７】
0006651239.tif 000012
【図８】
0006651239.tif 000013
【図９】
0006651239.tif 000014
【図１０】
0006651239.tif 000015
【図１１】
0006651239.tif 000016
【図１２】
0006651239.tif 000017